(57)【要約】  ＳＳ／ＰＢＣＨブロックとＲＭＳＩ  ＣＯＲＥＳＥＴとがタイプ１、タイプ２またはタイプ３パターンを用いて多重化されるとき、時間領域リソースがＣＯＲＥＳＥＴ設定に従って割り当てられる、ダウンリンク共有チャネルのための時間領域リソース割り当てのための機構が提供される。【選択図】図１５
2021514128.tif 000002
【特許請求の範囲】
【請求項１】
ユーザ機器（ＵＥ）において実装される方法であって、前記方法が、
少なくとも制御リソースセット（ＣＯＲＥＳＥＴ）設定に従って、ダウンリンク共有チャネルのための時間領域リソースを決定すること（Ｓ１５１０）
を含む、方法。
【請求項２】
前記ダウンリンク共有チャネルが物理ダウンリンク共有チャネル（ＰＤＳＣＨ）を含む、請求項１に記載の方法。
【請求項３】
同期信号および物理ブロードキャストチャネル（ＳＳ／ＰＢＣＨ）ブロックが第１のシンボルと最後のシンボルとを有し、前記決定すること（Ｓ１５１０）は、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了すると決定することを含む、請求項２に記載の方法。
【請求項４】
同期信号および物理ブロードキャストチャネル（ＳＳ／ＰＢＣＨ）ブロックが第１のシンボルと最後のシンボルとを有し、前記決定すること（Ｓ１５１０）は、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了すると決定することを含む、請求項２に記載の方法。
【請求項５】
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記決定すること（Ｓ１５１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始すると決定すること、およびスロットベーススケジューリングについて、ＰＤＳＣＨが前記ＣＯＲＥＳＥＴの直後に開始して前記スロットの終了まで続くと決定すること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始すると決定すること
を含む、請求項２に記載の方法。
【請求項６】
前記ダウンリンク共有チャネルにおいてデータを受信すること（Ｓ１５２０）をさらに含む、請求項１に記載の方法。
【請求項７】
前記データが、システム情報ブロック（ＳＩＢ）、ページングデータ、またはユーザデータを含む、請求項１に記載の方法。
【請求項８】
前記ＳＩＢが、初期アクセスのために必要とされる情報を含んでいるＳＩＢ１を含む、請求項７に記載の方法。
【請求項９】
前記ＣＯＲＥＳＥＴが物理ブロードキャストチャネル（ＰＢＣＨ）によって設定される、請求項１に記載の方法。
【請求項１０】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において監視される、請求項１に記載の方法。
【請求項１１】
ユーザ機器（ＵＥ）において実装される方法であって、前記方法が、
少なくとも制御リソースセット（ＣＯＲＥＳＥＴ）設定に従って、ダウンリンク共有チャネルのための時間領域リソースを利用すること（Ｓ１６１０）
を含み、
前記ＣＯＲＥＳＥＴ設定がＣＯＲＥＳＥＴ位置によって決定され、前記ＣＯＲＥＳＥＴ位置が物理ブロードキャストチャネル（ＰＢＣＨ）によって設定される、方法。
【請求項１２】
前記共有チャネルが物理ダウンリンク共有チャネル（ＰＤＳＣＨ）を含む、請求項１１に記載の方法。
【請求項１３】
前記ＰＢＣＨからの残存最小システム情報（ＲＭＳＩ）ＣＯＲＥＳＥＴ設定に従って無線リソース制御（ＲＲＣ）接続の前にＰＤＳＣＨのための時間領域リソース割り当てを受信することをさらに含む、請求項１２に記載の方法。
【請求項１４】
同期信号および物理ブロードキャストチャネル（ＳＳ／ＰＢＣＨ）ブロックが第１のシンボルと最後のシンボルとを有し、前記受信することは、前記ＳＳ／ＰＢＣＨブロックと前記ＲＭＳＩ  ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することを受信することを含む、請求項１３に記載の方法。
【請求項１５】
同期信号および物理ブロードキャストチャネル（ＳＳ／ＰＢＣＨ）ブロックが第１のシンボルと最後のシンボルとを有し、前記受信することは、前記ＳＳ／ＰＢＣＨブロックと前記ＲＭＳＩ  ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することを受信することを含む、請求項１３に記載の方法。
【請求項１６】
同期信号および物理ブロードキャストチャネル（ＳＳ／ＰＢＣＨ）ブロックとＲＭＳＩ  ＣＯＲＥＳＥＴとがタイプ１パターンを用いて多重化されるとき、前記受信することは、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することを受信すること、およびスロットベーススケジューリングについて、ＰＤＳＣＨが前記ＣＯＲＥＳＥＴの直後に開始して前記スロットの終了まで続くことを受信すること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することを受信すること
を含む、請求項１３に記載の方法。
【請求項１７】
前記ダウンリンク共有チャネルにおいてデータを受信すること（Ｓ１６２０）をさらに含む、請求項１１に記載の方法。
【請求項１８】
前記データが、システム情報ブロック（ＳＩＢ）、ページングデータ、またはユーザデータを含む、請求項１１に記載の方法。
【請求項１９】
前記ＳＩＢが、初期アクセスのために必要とされる情報を含んでいるＳＩＢ１を含む、請求項１８に記載の方法。
【請求項２０】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において監視される、請求項１１に記載の方法。
【請求項２１】
ネットワークノードにおいて実装される方法であって、前記方法が、
少なくとも制御リソースセット（ＣＯＲＥＳＥＴ）設定に従って、ダウンリンク共有チャネルのための時間領域リソースを割り当てること（Ｓ１７１０）
を含む、方法。
【請求項２２】
前記ダウンリンク共有チャネルが物理ダウンリンク共有チャネル（ＰＤＳＣＨ）を含む、請求項２１に記載の方法。
【請求項２３】
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することを割り当てることを含む、請求項２２に記載の方法。
【請求項２４】
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することを割り当てることを含む、請求項２２に記載の方法。
【請求項２５】
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記割り当てること（Ｓ１７１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することを割り当てること、およびスロットベーススケジューリングについて、ＰＤＳＣＨが前記ＣＯＲＥＳＥＴの直後に開始して前記スロットの終了まで続くことを割り当てること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することを割り当てること
を含む、請求項２２に記載の方法。
【請求項２６】
前記ダウンリンク共有チャネルにおいてデータを送信すること（Ｓ１７２０）をさらに含む、請求項２１に記載の方法。
【請求項２７】
前記データが、システム情報ブロック（ＳＩＢ）、ページングデータ、またはユーザデータを含む、請求項２１に記載の方法。
【請求項２８】
前記ＳＩＢが、初期アクセスのために必要とされる情報を含んでいるＳＩＢ１を含む、請求項２７に記載の方法。
【請求項２９】
前記ＣＯＲＥＳＥＴが物理ブロードキャストチャネル（ＰＢＣＨ）によって設定される、請求項２１に記載の方法。
【請求項３０】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において送信される、請求項２１に記載の方法。
【請求項３１】
ネットワークノードにおいて実装される方法であって、前記方法が、
少なくとも制御リソースセット（ＣＯＲＥＳＥＴ）設定に従って、ダウンリンク共有チャネルのための時間領域リソースを利用すること（Ｓ１８１０）
を含み、
前記ＣＯＲＥＳＥＴ設定がＣＯＲＥＳＥＴ位置によって決定され、前記ＣＯＲＥＳＥＴ位置が物理ブロードキャストチャネル（ＰＢＣＨ）によって設定される、方法。
【請求項３２】
前記共有チャネルが物理ダウンリンク共有チャネル（ＰＤＳＣＨ）を含む、請求項３１に記載の方法。
【請求項３３】
前記ＰＢＣＨからの残存最小システム情報（ＲＭＳＩ）ＣＯＲＥＳＥＴ設定に従って無線リソース制御（ＲＲＣ）接続の前にＰＤＳＣＨのための時間領域リソース割り当てをシグナリングすることをさらに含む、請求項３２に記載の方法。
【請求項３４】
同期信号および物理ブロードキャストチャネル（ＳＳ／ＰＢＣＨ）ブロックが第１のシンボルと最後のシンボルとを有し、前記シグナリングすることは、前記ＳＳ／ＰＢＣＨブロックと前記ＲＭＳＩ  ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することをシグナリングすることを含む、請求項３３に記載の方法。
【請求項３５】
同期信号および物理ブロードキャストチャネル（ＳＳ／ＰＢＣＨ）ブロックが第１のシンボルと最後のシンボルとを有し、前記シグナリングすることは、前記ＳＳ／ＰＢＣＨブロックと前記ＲＭＳＩ  ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することをシグナリングすることを含む、請求項３３に記載の方法。
【請求項３６】
同期信号および物理ブロードキャストチャネル（ＳＳ／ＰＢＣＨ）ブロックとＲＭＳＩ  ＣＯＲＥＳＥＴとがタイプ１パターンを用いて多重化されるとき、前記シグナリングすることは、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することをシグナリングすること、およびスロットベーススケジューリングについて、ＰＤＳＣＨが前記ＣＯＲＥＳＥＴの直後に開始して前記スロットの終了まで続くことをシグナリングすること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することをシグナリングすること
を含む、請求項３３に記載の方法。
【請求項３７】
前記ダウンリンク共有チャネルにおいてデータを送信すること（Ｓ１８２０）をさらに含む、請求項３１に記載の方法。
【請求項３８】
前記データが、システム情報ブロック（ＳＩＢ）、ページングデータ、またはユーザデータを含む、請求項３１に記載の方法。
【請求項３９】
前記ＳＩＢが、初期アクセスのために必要とされる情報を含んでいるＳＩＢ１を含む、請求項３８に記載の方法。
【請求項４０】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において送信される、請求項３１に記載の方法。
【請求項４１】
ネットワークノードにおいて実装される方法であって、前記方法が、
残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングすること（Ｓ１９１０）
を含む、方法。
【請求項４２】
同期信号および物理ブロードキャストチャネル（ＳＳ／ＰＢＣＨ）ブロックが第１のシンボルと最後のシンボルとを有し、前記シグナリングすること（Ｓ１９１０）は、前記ＳＳ／ＰＢＣＨブロックと前記ＲＭＳＩ  ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することをシグナリングすることを含む、請求項４１に記載の方法。
【請求項４３】
同期信号および物理ブロードキャストチャネル（ＳＳ／ＰＢＣＨ）ブロックが第１のシンボルと最後のシンボルとを有し、前記シグナリングすること（Ｓ１９１０）は、前記ＳＳ／ＰＢＣＨブロックと前記ＲＭＳＩ  ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することをシグナリングすることを含む、請求項４１に記載の方法。
【請求項４４】
同期信号および物理ブロードキャストチャネル（ＳＳ／ＰＢＣＨ）ブロックとＲＭＳＩ  ＣＯＲＥＳＥＴとがタイプ１パターンを用いて多重化されるとき、前記シグナリングすること（Ｓ１９１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することをシグナリングすること、およびスロットベーススケジューリングについて、ＰＤＳＣＨが前記ＣＯＲＥＳＥＴの直後に開始して前記スロットの終了まで続くことをシグナリングすること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することをシグナリングすること
を含む、請求項４１に記載の方法。
【請求項４５】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において送信される、請求項４１に記載の方法。
【請求項４６】
ユーザ機器（ＵＥ）において実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを決定させるように設定された、装置。
【請求項４７】
前記１つまたは複数のメモリおよび前記コンピュータプログラムコードが、前記１つまたは複数のプロセッサにより、前記装置に、請求項２から１０のいずれか一項に記載の方法を実施させるように設定された、請求項４６に記載の装置。
【請求項４８】
ユーザ機器（ＵＥ）において実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを利用させるように設定され、
前記ＣＯＲＥＳＥＴ設定がＣＯＲＥＳＥＴ位置によって決定され、前記ＣＯＲＥＳＥＴ位置が物理ブロードキャストチャネル（ＰＢＣＨ）によって設定される、装置。
【請求項４９】
前記１つまたは複数のメモリおよび前記コンピュータプログラムコードが、前記１つまたは複数のプロセッサにより、前記装置に、請求項１２から２０のいずれか一項に記載の方法を実施させるように設定された、請求項４８に記載の装置。
【請求項５０】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを割り当てさせるように設定された、装置。
【請求項５１】
前記１つまたは複数のメモリおよび前記コンピュータプログラムコードが、前記１つまたは複数のプロセッサにより、前記装置に、請求項２２から３０のいずれか一項に記載の方法を実施させるように設定された、請求項５０に記載の装置。
【請求項５２】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを利用させるように設定され、
前記ＣＯＲＥＳＥＴ設定がＣＯＲＥＳＥＴ位置によって決定され、前記ＣＯＲＥＳＥＴ位置が物理ブロードキャストチャネル（ＰＢＣＨ）によって設定される、装置。
【請求項５３】
前記１つまたは複数のメモリおよび前記コンピュータプログラムコードが、前記１つまたは複数のプロセッサにより、前記装置に、請求項３２から４０のいずれか一項に記載の方法を実施させるように設定された、請求項５２に記載の装置。
【請求項５４】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングさせるように設定された、装置。
【請求項５５】
前記１つまたは複数のメモリおよび前記コンピュータプログラムコードが、前記１つまたは複数のプロセッサにより、前記装置に、請求項４２から４５のいずれか一項に記載の方法を実施させるように設定された、請求項５４に記載の装置。
【請求項５６】
コンピュータプログラムコード（２０１０）を有するコンピュータ可読媒体（２０００）であって、当該コンピュータ可読媒体（２０００）上で前記コンピュータプログラムコード（２０１０）が具現化され、前記コンピュータプログラムコード（２０１０）が、請求項１から４５のいずれか一項に記載の方法を実施するためのコードを備える、コンピュータ可読媒体（２０００）。
【発明の詳細な説明】
【技術分野】
【０００１】
本開示は、無線通信に関し、詳細には、ダウンリンク共有チャネルのための時間領域リソースの割り当てのための方法および装置に関する。
【背景技術】
【０００２】
ネットワークに接続するために、デバイスが、ネットワーク同期を捕捉し、マスタ情報ブロック（ＭＩＢ）中のシステム情報（ＳＩ）を含む不可欠なＳＩと、残存最小システム情報（ＲＭＳＩ：ｒｅｍａｉｎｉｎｇ  ｍｉｎｉｍｕｍ  ｓｙｓｔｅｍ  ｉｎｆｏｒｍａｔｉｏｎ）とを取得する必要がある。ネットワークに対してデバイスの周波数を調整するために、およびネットワークからの受信信号の適切なタイミングを見つけるために、同期信号が使用される。制御リソースセット（ＣＯＲＥＳＥＴ：ｃｏｎｔｒｏｌ  ｒｅｓｏｕｒｃｅ  ｓｅｔ）がＭＩＢにおいて設定され、ＣＯＲＥＳＥＴは、ＲＭＳＩと他のシステム情報（ＯＳＩ：ｏｔｈｅｒ  ｓｙｓｔｅｍ  ｉｎｆｏｒｍａｔｉｏｎ）とページングメッセージとランダムアクセス応答（ＲＡＲ）メッセージとを含む、いくつかのブロードキャスティングメッセージをスケジュールするＰＤＣＣＨを送信するために使用され得る。
【発明の概要】
【０００３】
一実施形態によれば、方法がネットワークノードにおいて実装され、ネットワークノードは、少なくとも制御リソースセット（ＣＯＲＥＳＥＴ）設定に従って、時間領域におけるダウンリンク共有チャネルを割り当てる。
【０００４】
別の実施形態によれば、方法がユーザ機器（ＵＥ）において実装され、ＵＥは、少なくとも制御リソースセット（ＣＯＲＥＳＥＴ）設定に従って、時間領域におけるダウンリンク共有チャネルを決定する。
【０００５】
別の実施形態によれば、方法が、少なくとも制御リソースセット（ＣＯＲＥＳＥＴ）設定に従って、時間領域における共有チャネルを利用し、ＣＯＲＳＥＴ設定はＣＯＲＥＳＥＴ位置によって決定され、ＣＯＲＳＥＴ位置はＰＢＣＨによって設定される。
【０００６】
別の実施形態によれば、ＰＤＳＣＨ時間領域割り当ての方法が、ＲＭＳＩ  ＣＯＲＥＳＥＴ設定に基づいてＰＤＳＣＨを割り当てることを提供する。
【０００７】
別の実施形態によれば、ＰＢＣＨからのＲＭＳＩ  ＣＯＲＥＳＥＴ設定に従ってＲＲＣ接続の前にＰＤＳＣＨの時間領域割り当てについてシグナリングするための方法は、ＳＳ／ＰＢＣＨブロックとＲＭＳＩ  ＣＯＲＥＳＥＴとがタイプ２パターンを用いて多重化されるとき、ＰＤＳＣＨが、ＳＳ／ＰＢＣＨブロックの第１のシンボルから開始し、ＳＳ／ＰＢＣＨブロックの最後のシンボルで終了することをシグナリングすることに基づく。
【０００８】
別の実施形態によれば、ＰＢＣＨからのＲＭＳＩ  ＣＯＲＥＳＥＴ設定に従ってＲＲＣ接続の前にＰＤＳＣＨの時間領域割り当てについてシグナリングするための方法は、ＳＳ／ＰＢＣＨブロックとＲＭＳＩ  ＣＯＲＥＳＥＴとがタイプ３パターンを用いて多重化されるとき、ＰＤＳＣＨが、ＲＭＳＩ  ＣＯＲＥＳＥＴの最後のシンボルの直後に開始し、ＳＳ／ＰＢＣＨブロックの最後のシンボルで終了することをシグナリングすることに基づく。
【０００９】
別の実施形態によれば、ＰＢＣＨからのＲＭＳＩ  ＣＯＲＥＳＥＴ設定に従ってＲＲＣ接続の前にＰＤＳＣＨの時間領域割り当てについてシグナリングするための方法が、タイプ１パターンについて開示される。ＳＳ／ＰＢＣＨブロックとＲＭＳＩ  ＣＯＲＥＳＥＴとがタイプ１パターンを用いて多重化されるとき、ＣＯＲＥＳＥＴが１つの通常スロットの第１のシンボルから開始する場合、非スロットベース（ｎｏｎ−ｓｌｏｔ−ｂａｓｅｄ）スケジューリングについて、シグナリングは、ＰＤＳＣＨがＣＯＲＥＳＥＴの直後に開始することに基づき、スロットベーススケジューリングについて、シグナリングは、ＰＤＳＣＨがＣＯＲＥＳＥＴの直後に開始してスロットの終了まで続くことに基づく。他の場合、非スロットベーススケジューリングを利用し、ＰＤＳＣＨがＣＯＲＥＳＥＴの直後の第１の利用可能なシンボルから開始することをシグナリングすること。
【００１０】
別の実施形態によれば、ＰＤＳＣＨのフレキシブルな長さまたはＲＭＳＩ  ＣＯＲＳＥＴとＰＤＳＣＨとの間のギャップについてシグナリングするための方法。
【００１１】
本開示の一態様では、少なくとも制御リソースセット（ＣＯＲＥＳＥＴ）設定に従って、ダウンリンク共有チャネルのための時間領域リソースを決定することを含む、ユーザ機器（ＵＥ）において実装される方法が提供される。
【００１２】
本開示の別の態様では、少なくとも制御リソースセット（ＣＯＲＥＳＥＴ）設定に従って、ダウンリンク共有チャネルのための時間領域リソースを利用することを含む、ユーザ機器（ＵＥ）において実装される方法が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００１３】
本開示の別の態様では、少なくとも制御リソースセット（ＣＯＲＥＳＥＴ）設定に従って、ダウンリンク共有チャネルのための時間領域リソースを割り当てることを含む、ネットワークノードにおいて実装される方法が提供される。
【００１４】
本開示の態様では、少なくとも制御リソースセット（ＣＯＲＥＳＥＴ）設定に従って、ダウンリンク共有チャネルのための時間領域リソースを利用することを含む、ネットワークノードにおいて実装される方法が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００１５】
本開示の別の態様では、残存最小システム情報（ＲＭＳＩ）制御リソースセット（ＣＯＲＥＳＥＴ）設定に従って、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のための時間領域リソース割り当て（ｔｉｍｅ  ｄｏｍａｉｎ  ｒｅｓｏｕｒｃｅ  ａｌｌｏｃａｔｉｏｎ）をシグナリングすることを含む、ネットワークノードにおいて実装される方法が提供される。
【００１６】
本開示の別の態様では、１つまたは複数のプロセッサと、コンピュータプログラムコードを備える１つまたは複数のメモリとを備える、ユーザ機器（ＵＥ）において実装される装置が提供され、１つまたは複数のメモリおよびコンピュータプログラムコードは、１つまたは複数のプロセッサにより、装置に、少なくとも制御リソースセット（ＣＯＲＥＳＥＴ）設定に従って、ダウンリンク共有チャネルのための時間領域リソースを決定させるように設定される。
【００１７】
本開示の別の態様では、１つまたは複数のプロセッサと、コンピュータプログラムコードを備える１つまたは複数のメモリとを備える、ユーザ機器（ＵＥ）において実装される装置が提供され、１つまたは複数のメモリおよびコンピュータプログラムコードは、１つまたは複数のプロセッサにより、装置に、少なくとも制御リソースセット（ＣＯＲＥＳＥＴ）設定に従って、ダウンリンク共有チャネルのための時間領域リソースを利用させるように設定され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００１８】
本開示の別の態様では、１つまたは複数のプロセッサと、コンピュータプログラムコードを備える１つまたは複数のメモリとを備える、ネットワークノードにおいて実装される装置が提供され、１つまたは複数のメモリおよびコンピュータプログラムコードは、１つまたは複数のプロセッサにより、装置に、少なくとも制御リソースセット（ＣＯＲＥＳＥＴ）設定に従って、ダウンリンク共有チャネルのための時間領域リソースを割り当てさせるように設定される。
【００１９】
本開示の別の態様では、１つまたは複数のプロセッサと、コンピュータプログラムコードを備える１つまたは複数のメモリとを備える、ネットワークノードにおいて実装される装置が提供され、１つまたは複数のメモリおよびコンピュータプログラムコードは、１つまたは複数のプロセッサにより、装置に、少なくとも制御リソースセット（ＣＯＲＥＳＥＴ）設定に従って、ダウンリンク共有チャネルのための時間領域リソースを利用させるように設定され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００２０】
本開示の別の態様では、１つまたは複数のプロセッサと、コンピュータプログラムコードを備える１つまたは複数のメモリとを備える、ネットワークノードにおいて実装される装置が提供され、１つまたは複数のメモリおよびコンピュータプログラムコードは、１つまたは複数のプロセッサにより、装置に、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングさせるように設定される。
【００２１】
本開示の別の態様では、コンピュータプログラムコードを有するコンピュータ可読媒体が提供され、コンピュータ可読媒体上でコンピュータプログラムコードが具現化され、コンピュータプログラムコードは、本開示の上記の態様に記載の方法を実施するためのコードを備える。
【００２２】
本開示の一態様では、少なくとも制御リソースセット（ＣＯＲＥＳＥＴ）設定に従って、ダウンリンク共有チャネルのための時間領域リソースを決定するための手段を備える、ユーザ機器（ＵＥ）において実装される装置が提供される。
【００２３】
本開示の別の態様では、少なくとも制御リソースセット（ＣＯＲＥＳＥＴ）設定に従って、ダウンリンク共有チャネルのための時間領域リソースを利用するための手段を備える、ユーザ機器（ＵＥ）において実装される装置が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００２４】
本開示の別の態様では、少なくとも制御リソースセット（ＣＯＲＥＳＥＴ）設定に従って、ダウンリンク共有チャネルのための時間領域リソースを割り当てるための手段を備える、ネットワークノードにおいて実装される装置が提供される。
【００２５】
本開示の態様では、少なくとも制御リソースセット（ＣＯＲＥＳＥＴ）設定に従って、ダウンリンク共有チャネルのための時間領域リソースを利用するための手段を備える、ネットワークノードにおいて実装される装置が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００２６】
本開示の別の態様では、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングするための手段を備える、ネットワークノードにおいて実装される装置が提供される。
【００２７】
本開示の別の態様では、ユーザ機器（ＵＥ）と通信するように設定された基地局が提供される。基地局は、無線インターフェースと、少なくとも制御リソースセット（ＣＯＲＥＳＥＴ）設定に従って、ダウンリンク共有チャネルのための時間領域リソースを割り当てるように設定された処理回路要素とを備える。
【００２８】
本開示の別の態様では、ユーザ機器（ＵＥ）と通信するように設定された基地局が提供される。基地局は、無線インターフェースと、少なくとも制御リソースセット（ＣＯＲＥＳＥＴ）設定に従って、ダウンリンク共有チャネルのための時間領域リソースを利用するように設定された処理回路要素とを備え、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００２９】
本開示の別の態様では、ユーザ機器（ＵＥ）と通信するように設定された基地局が提供される。基地局は、無線インターフェースと、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングするように設定された処理回路要素とを備える。
【００３０】
本開示の別の態様では、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含む通信システムが提供される。セルラーネットワークは、無線インターフェースと処理回路要素とを有する基地局を備える。基地局の処理回路要素は、少なくとも制御リソースセット（ＣＯＲＥＳＥＴ）設定に従って、ダウンリンク共有チャネルのための時間領域リソースを割り当てるように設定される。
【００３１】
本開示の別の態様では、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含む通信システムが提供される。セルラーネットワークは、無線インターフェースと処理回路要素とを有する基地局を備える。基地局の処理回路要素は、少なくとも制御リソースセット（ＣＯＲＥＳＥＴ）設定に従って、ダウンリンク共有チャネルのための時間領域リソースを利用するように設定され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００３２】
本開示の別の態様では、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含む通信システムが提供される。セルラーネットワークは、無線インターフェースと処理回路要素とを有する基地局を備える。基地局の処理回路要素は、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングするように設定される。
【００３３】
本開示の別の態様では、少なくとも制御リソースセット（ＣＯＲＥＳＥＴ）設定に従って、ダウンリンク共有チャネルのための時間領域リソースを割り当てることを含む、基地局において実装される方法が提供される。
【００３４】
本開示の別の態様では、少なくとも制御リソースセット（ＣＯＲＥＳＥＴ）設定に従って、ダウンリンク共有チャネルのための時間領域リソースを利用することを含む、基地局において実装される方法が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００３５】
本開示の別の態様では、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングすることを含む、基地局において実装される方法が提供される。
【００３６】
本開示の別の態様では、ホストコンピュータと、基地局と、ユーザ機器（ＵＥ）とを含む通信システムにおいて実装される方法が提供される。本方法は、ホストコンピュータにおいて、ユーザデータを提供することと、ホストコンピュータにおいて、基地局を備えるセルラーネットワークを介してＵＥにユーザデータを搬送する送信を始動することとを含み、基地局は、少なくとも制御リソースセット（ＣＯＲＥＳＥＴ）設定に従って、ダウンリンク共有チャネルのための時間領域リソースを割り当てる。
【００３７】
本開示の別の態様では、ホストコンピュータと、基地局と、ユーザ機器（ＵＥ）とを含む通信システムにおいて実装される方法が提供される。本方法は、ホストコンピュータにおいて、ユーザデータを提供することと、ホストコンピュータにおいて、基地局を備えるセルラーネットワークを介してＵＥにユーザデータを搬送する送信を始動することとを含み、基地局は、少なくとも制御リソースセット（ＣＯＲＥＳＥＴ）設定に従って、ダウンリンク共有チャネルのための時間領域リソースを利用し、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００３８】
本開示の別の態様では、ホストコンピュータと、基地局と、ユーザ機器（ＵＥ）とを含む通信システムにおいて実装される方法が提供される。本方法は、ホストコンピュータにおいて、ユーザデータを提供することと、ホストコンピュータにおいて、基地局を備えるセルラーネットワークを介してＵＥにユーザデータを搬送する送信を始動することとを含み、基地局は、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てをシグナリングする。
【００３９】
本開示の別の態様では、基地局と通信するように設定されたユーザ機器（ＵＥ）が提供される。ＵＥは、無線インターフェースと、少なくとも制御リソースセット（ＣＯＲＥＳＥＴ）設定に従って、ダウンリンク共有チャネルのための時間領域リソースを決定するように設定された処理回路要素とを備える。
【００４０】
本開示の別の態様では、基地局と通信するように設定されたユーザ機器（ＵＥ）が提供される。ＵＥは、無線インターフェースと、少なくとも制御リソースセット（ＣＯＲＥＳＥＴ）設定に従って、ダウンリンク共有チャネルのための時間領域リソースを利用するように設定された処理回路要素とを備え、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００４１】
本開示の別の態様では、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含む通信システムが提供される。ＵＥは、無線インターフェースと処理回路要素とを備える。ＵＥの処理回路要素は、少なくとも制御リソースセット（ＣＯＲＥＳＥＴ）設定に従って、ダウンリンク共有チャネルのための時間領域リソースを決定するように設定される。
【００４２】
本開示の別の態様では、ユーザデータを提供するように設定された処理回路要素と、ユーザ機器（ＵＥ）への送信のためにユーザデータをセルラーネットワークにフォワーディングするように設定された通信インターフェースとを備えるホストコンピュータを含む通信システムが提供される。ＵＥは、無線インターフェースと処理回路要素とを備える。ＵＥの処理回路要素は、少なくとも制御リソースセット（ＣＯＲＥＳＥＴ）設定に従って、ダウンリンク共有チャネルのための時間領域リソースを利用するように設定され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００４３】
本開示の別の態様では、少なくとも制御リソースセット（ＣＯＲＥＳＥＴ）設定に従って、ダウンリンク共有チャネルのための時間領域リソースを決定することを含む、ユーザ機器（ＵＥ）において実装される方法が提供される。
【００４４】
本開示の別の態様では、少なくとも制御リソースセット（ＣＯＲＥＳＥＴ）設定に従って、ダウンリンク共有チャネルのための時間領域リソースを利用することを含む、ユーザ機器（ＵＥ）において実装される方法が提供され、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００４５】
本開示の別の態様では、ホストコンピュータと、基地局と、ユーザ機器（ＵＥ）とを含む通信システムにおいて実装される方法が提供される。本方法は、ホストコンピュータにおいて、ユーザデータを提供することと、ホストコンピュータにおいて、基地局を備えるセルラーネットワークを介してＵＥにユーザデータを搬送する送信を始動することとを含み、ＵＥは、少なくとも制御リソースセット（ＣＯＲＥＳＥＴ）設定に従って、ダウンリンク共有チャネルのための時間領域リソースを決定する。
【００４６】
本開示の別の態様では、ホストコンピュータと、基地局と、ユーザ機器（ＵＥ）とを含む通信システムにおいて実装される方法が提供される。本方法は、ホストコンピュータにおいて、ユーザデータを提供することと、ホストコンピュータにおいて、基地局を備えるセルラーネットワークを介してＵＥにユーザデータを搬送する送信を始動することとを含み、ＵＥは、少なくとも制御リソースセット（ＣＯＲＥＳＥＴ）設定に従って、ダウンリンク共有チャネルのための時間領域リソースを利用し、ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。
【００４７】
ＣＯＲＥＳＥＴ設定に従うダウンリンク共有チャネルのための時間領域リソースの割り当てのための、本開示の実施形態が提供され、これは、ＤＣＩにおいてシグナリングする必要を低減するか、さらにはなくす。
【００４８】
本開示は、以下の説明と、様々な実施形態を示すために使用される添付の図面とを参照することによって最も良く理解され得る。
【図面の簡単な説明】
【００４９】
【図１】各小さいボックスが直交周波数分割多重（ＯＦＤＭ）シンボルであり、暗色のシンボルがマッピングされた、スロット中のＳＳ／ＰＢＣＨブロックシンボルの図である。
【図２】各ボックスがスロットであり、暗色のスロットがマッピングされた、５ｍｓ内のスロット中のＳＳバーストセットの図である。
【図３】いくつかの実施形態の場合のタイプ１、タイプ２、およびタイプ３のＰＢＣＨ多重化タイプによって設定されたＳＳ／ＰＢＣＨブロックおよびＣＯＲＥＳＥＴの図である。
【図４】いくつかの実施形態の場合のＭ＝１であるときのＲＭＳＩ  ＣＯＲＳＥＴにおけるＰＤＣＣＨ監視ウィンドウ（ｍｏｎｉｔｏｒｉｎｇ  ｗｉｎｄｏｗ）を示す図である。
【図５】いくつかの実施形態の場合のＭ＝１／２であるときのＲＭＳＩ  ＣＯＲＳＥＴにおけるＰＤＣＣＨ監視ウィンドウを示す図である。
【図６】いくつかの実施形態による無線ネットワークを示す図である。
【図７】いくつかの実施形態によるユーザ機器を示す図である。
【図８】いくつかの実施形態による仮想化環境を示す図である。
【図９】いくつかの実施形態による、中間ネットワークを介してホストコンピュータに接続された通信ネットワークを示す図である。
【図１０】いくつかの実施形態による、部分的無線接続上で基地局を介してユーザ機器と通信するホストコンピュータを示す図である。
【図１１】いくつかの実施形態による、ホストコンピュータと、基地局と、ユーザ機器とを含む通信システムにおいて実装される方法を示す図である。
【図１２】いくつかの実施形態による、ホストコンピュータと、基地局と、ユーザ機器とを含む通信システムにおいて実装される方法を示す図である。
【図１３】いくつかの実施形態による、ホストコンピュータと、基地局と、ユーザ機器とを含む通信システムにおいて実装される方法を示す図である。
【図１４】いくつかの実施形態による、ホストコンピュータと、基地局と、ユーザ機器とを含む通信システムにおいて実装される方法を示す図である。
【図１５】本開示の一実施形態による、ユーザ機器における方法を示すフローチャートである。
【図１６】本開示の一実施形態による、ユーザ機器における方法を示すフローチャートである。
【図１７】本開示の一実施形態による、ネットワークノードにおける方法を示すフローチャートである。
【図１８】本開示の一実施形態による、ネットワークノードにおける方法を示すフローチャートである。
【図１９】本開示の一実施形態による、ネットワークノードにおける方法を示すフローチャートである。
【図２０】本開示の一実施形態による、コンピュータプログラムコード手段を備えるコンピュータプログラムを記憶したコンピュータ可読記憶媒体のブロック図である。
【図２１】本開示の一実施形態による、ユーザ機器における装置のブロック図である。
【図２２】本開示の一実施形態による、ユーザ機器における装置のブロック図である。
【図２３】本開示の一実施形態による、ネットワークノードにおける装置のブロック図である。
【図２４】本開示の一実施形態による、ネットワークノードにおける装置のブロック図である。
【図２５】本開示の一実施形態による、ネットワークノードにおける装置のブロック図である。
【発明を実施するための形態】
【００５０】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００５１】
次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００５２】
新無線（Ｎｅｗ  Ｒａｄｉｏ）におけるＳＳ／ＰＢＣＨブロック
ネットワークに接続するために、デバイスが、ネットワーク同期（同期（ｓｙｎｃｈ））を捕捉し、マスタ情報ブロック（ＭＩＢ）中のシステム情報（ＳＩ）を含む不可欠なＳＩと、残存最小システム情報（ＲＭＳＩ）とを取得する必要がある。ネットワークに対してデバイスの周波数を調整するために、およびネットワークからの受信信号の適切なタイミングを見つけるために、同期信号が使用される。新無線（ＮＲ）では、同期およびアクセスプロシージャは、いくつかの信号を伴い得る。
【００５３】
数十ｐｐｍまでの高い初期周波数誤差の存在下でのネットワーク検出を可能にする１次同期信号（ＰＳＳ）。
【００５４】
基本ネットワーク情報（たとえば、セルＩＤ）を提供すると同時に、より正確な周波数調整およびチャネル推定を可能にする２次同期信号（ＳＳＳ）。
【００５５】
ランダムアクセスのための最小システム情報のサブセットと、ＲＭＳＩ中の残存最小システム情報をフェッチするための設定とを提供する物理ブロードキャストチャネル（ＰＢＣＨ）。ＰＢＣＨは、（たとえば、セルから送信されるビーム間でタイミングを分離するために）セル内のタイミング情報をも提供する。ＰＢＣＨに収まるべき情報の量は、もちろん、サイズを低く抑えるために極めて限定される。さらに、（１つまたは複数の）復調用参照信号（ＤＭＲＳ）を適切に受信するために、ＤＭＲＳがＰＢＣＨリソースとインターリーブされる。
【００５６】
同期信号およびＰＢＣＨブロック（ＳＳ／ＰＢＣＨブロック、または短縮して、ＳＳＢ）は、上記の信号（ＰＳＳ、ＳＳＳおよびＰＢＣＨ  ＤＭＲＳ）と、ＰＢＣＨとを含む。ＳＳＢは、周波数範囲に応じて、１５ｋＨｚ、３０ｋＨｚ、１２０ｋＨｚまたは２４０ｋＨｚサブキャリア間隔（ＳＣＳ：Ｓｕｂｃａｒｒｉｅｒ  Ｓｐａｃｉｎｇ）を有し得る。
【００５７】
いくつかの（典型的には時間的に幾分近い）ＳＳ／ＰＢＣＨブロックがＳＳバーストセットを構成する。ＳＳバーストセットは、ＲＭＳＩにおいて設定された周期性を用いて周期的に送信される。初期アクセスの場合、２０ｍｓ  ＳＳバーストセット周期性が仮定される。図１および図２は、スロット内のＳＳ／ＰＢＣＨブロックマッピングに関する詳細、および５ｍｓ内のスロットへのＳＳバーストセットマッピングに関する詳細を示す。図１は、各小さいボックスが直交周波数分割多重（ＯＦＤＭ）シンボルであり、暗色のシンボルがマッピングされた、スロット中のＳＳ／ＰＢＣＨブロックシンボルの図１００を示す。図２は、各ボックスがスロットであり、暗色のスロットがマッピングされた、５ｍｓ内のスロット中のＳＳバーストセットの図２００を示す。
【００５８】
ＮＲにおけるＰＢＣＨによって設定されたＲＭＳＩおよび制御リソースセット（ＣＯＲＥＳＥＴ）
【００５９】
残存最小システム情報（ＲＭＳＩ）は、ＮＲでは、ＰＢＣＨによって設定されたＣＯＲＥＳＥＴにおける物理ダウンリンク制御チャネル（ＰＤＣＣＨ）によってスケジュールされた物理ダウンリンク共有チャネル（ＰＤＳＣＨ）中で搬送され、最小システム情報の残存サブセット（たとえば、実際に送信されたＳＳ／ＰＢＣＨブロックのビットマップ）を含んでいる。
【００６０】
ＯＳＩ／ＰＡＧＩＮＧ／ＲＡＲのためにも使用され得る、ＰＢＣＨによって設定されたＣＯＲＥＳＥＴは、周波数領域における
2021514128.tif 000003
個のリソースブロックと、
時間領域における
2021514128.tif 000004
個のＯＦＤＭシンボルとからなる。３ＧＰＰ  ＴＳ３８．２１３  Ｖ１５．０．０に基づいて、
2021514128.tif 000005
は、２４、４８または９６であり得、
2021514128.tif 000006
は、１つ、２つ、３つのＯＦＤＭシンボルであり得る。
【００６１】
ＣＣＥの数およびＲＥＧの数は、ＣＯＲＥＳＥＴにおいて規定されている。制御チャネルエレメント（ＣＣＥ）が、６つのリソースエレメントグループ（ＲＥＧ）からなり、ここで、リソースエレメントグループは、１つのＯＦＤＭシンボル中の１つのリソースブロックに等しい。制御リソースセット内のリソースエレメントグループは、時間優先様式で昇順に番号付けされ、制御リソースセット中の第１のＯＦＤＭシンボルおよび最も低い番号のリソースブロックの場合、０で開始する。
【００６２】
１つのＳＳ／ＰＢＣＨブロックを検出した後に、ユーザ機器（ＵＥ）は、ＰＢＣＨ中のＣＯＲＥＳＥＴ設定に基づいて可能なＰＤＣＣＨ候補を探索することを試みることができる。ＳＳ／ＰＢＣＨブロックと設定されたＣＯＲＥＳＥＴとの間に３つの多重化タイプがあり、３つの多重化タイプの各々は、サポートされるヌメロロジー組合せのセット｛ＳＳＢ  ＳＣＳ，ＲＭＳＩ  ＳＣＳ｝を有する。図３は、ＰＢＣＨ多重化タイプ（タイプ１、タイプ２、およびタイプ３）によって設定されたＳＳ／ＰＢＣＨブロックおよびＣＯＲＥＳＥＴの図３００を示し、３つのタイプ、タイプ１、タイプ２、およびタイプ３についてのサポートされるヌメロロジー組合せが、以下で説明される。
【００６３】
図３の場合、３つのタイプについてサポートされるヌメロロジー組合せは、以下の通りである。サブ６ＧＨｚにおけるタイプ１は、｛１５ｋＨｚ，１５ｋＨｚ｝、｛１５ｋＨｚ，３０ｋＨｚ｝、｛３０ｋＨｚ，１５ｋＨｚ｝および｛３０ｋＨｚ，３０ｋＨｚ｝の設定を有する。６ＧＨｚ超において、設定は｛１２０ｋＨｚ，６０ｋＨｚ｝、｛１２０ｋＨｚ，１２０ｋＨｚ｝、｛２４０ｋＨｚ，６０ｋＨｚ｝および｛２４０ｋＨｚ，１２０ｋＨｚ｝である。タイプ２の場合、設定は｛１２０ｋＨｚ，６０ｋＨｚ｝および｛２４０ｋＨｚ，１２０ｋＨｚ｝である。タイプ３の場合、設定は｛１２０ｋＨｚ，１２０ｋＨｚ｝である。パターン２（タイプ２）およびパターン３（タイプ３）は、６ＧＨｚ超周波数帯域においてのみサポートされることに留意されたい。
【００６４】
３ＧＰＰ会議のうちの１つ（ＲＡＮ１  ＃９０ｂｉｓ）において、ＰＤＳＣＨの帯域幅とこのＰＤＳＣＨをスケジュールするＰＤＣＣＨを含んでいるＣＯＲＥＳＥＴの帯域幅との間の関係に関して、以下の合意に達した。
・  初期アクティブＤＬ  ＢＷＰは、ＲＭＳＩ  ＣＯＲＥＳＥＴの周波数ロケーションおよび帯域幅、ならびにＲＭＳＩのヌメロロジーとして規定され、
〇  ＲＭＳＩを配信するＰＤＳＣＨは、初期アクティブＤＬ  ＢＷＰ内に制限される
【００６５】
３ＧＰＰ会議のうちの１つ（ＲＡＮ１  Ａｄ−Ｈｏｃ  ＃１８０１）において、ＲＭＳＩ／ＯＳＩ／ページングおよびランダムアクセスのためのダウンリンク制御情報（ＤＣＩ）フォーマットに関して、以下の合意に達した。ＤＣＩの詳細コンテンツは、まだ規定されていない。
・  ＮＲは、ＲＭＳＩ／ＯＳＩをスケジュールするために、ページングのために、およびランダムアクセスのために使用されるべきＤＣＩフォーマット１＿０と同じサイズを有するＤＣＩフォーマットをサポートする。
【００６６】
ＮＲ会議のうちの１つ（ＮＲ  ＡｄＨｏｃ  ＃３）において、ＲＭＳＩのためのＰＤＳＣＨ送信に関して、以下の合意に達した。
・  ＮＲは、ＲＭＳＩ／ブロードキャストＯＳＩ配信のために、スロットベースＰＤＣＣＨおよびＰＤＳＣＨ送信と、非スロットベースＰＤＳＣＨ送信の両方をサポートする。
・  非スロットベース送信について、ＲＭＳＩ／ブロードキャストＯＳＩ  ＰＤＳＣＨのための２、４および７ＯＦＤＭシンボル持続時間がサポートされる。
【００６７】
３ＧＰＰ会議のうちの１つ（ＲＡＮ１  ＃９１）において、ＲＭＳＩを搬送するＰＤＳＣＨのＤＭＲＳパターンに関して、以下の合意に達した。
【００６８】
スロットベースブロードキャスト／マルチキャストＰＤＳＣＨについて設定タイプ１を使用するという作業仮説を確認し、このＤＭＲＳタイプを以下に拡張する。
・  ＲＲＣ設定の前のスロットベースユニキャストＰＤＳＣＨ、およびＲＲＣ設定の前のスロットベースユニキャストＰＵＳＣＨ（ＣＰ−ＯＦＤＭおよびＤＦＴ−Ｓ−ＯＦＤＭ）
・  ＲＲＣ設定の前のスロットベースブロードキャスト／マルチキャストＰＤＳＣＨとユニキャストＰＤＳＣＨ／ＰＵＳＣＨとについて、２つの追加の１シンボルＤＭＲＳを使用し、ＰＤＣＣＨ中に示された追加のＤＭＲＳのロケーションは、ＲＲＣ設定の後のユニキャストＰＤＳＣＨ／ＰＵＳＣＨについての合意されたＤＭＲＳロケーションに従う。
・  ＲＲＣ設定の前のマルチキャスト／ブロードキャストＰＤＳＣＨとユニキャストＰＤＳＣＨとについての、２／４／７シンボル非スロットベーススケジューリング。
・  ２／４シンボル非スロットベーススケジューリングの場合、１シンボルフロントロード（ｆｒｏｎｔ−ｌｏａｄ）ＤＭＲＳは、ＲＲＣ設定の前のブロードキャスト／マルチキャストＰＤＳＣＨとユニキャストＰＤＳＣＨ／ＰＵＳＣＨとについて使用される。
・  ７シンボル非スロットベーススケジューリングの場合、１シンボルフロントロードＤＭＲＳ＋第５のシンボル上の１つの追加のＤＭＲＳシンボルは、それが、フロントロードに関するスケジューリングユニットの一部である場合、ＲＲＣ設定の前のブロードキャスト／マルチキャストＰＤＳＣＨとユニキャストＰＤＳＣＨ／ＰＵＳＣＨとについて使用される。
【００６９】
ＲＲＣ設定の前のブロードキャスト／マルチキャストＰＤＳＣＨおよびＰＤＳＣＨが発生しており、スロットベースと４／７シンボル非スロットベースの両方の場合、ＤＭＲＳポート０がＳＵ−ＭＩＭＯを使用し、ＤＭＲＳシンボル上にＦＤＭされるＰＤＳＣＨがない。２シンボル非スロットベースの場合、ＦＤＭのみがある。
【００７０】
ＮＲにおけるＰＢＣＨによって設定されたＣＯＲＥＳＥＴ中のＰＤＣＣＨの監視ウィンドウ
ＲＭＳＩ  ＣＯＲＥＳＥＴ中のＰＤＣＣＨ監視ウィンドウは、ＳＳ／ＰＢＣＨブロックとＲＭＳＩ  ＣＯＲＥＳＥＴとの間の異なる多重化タイプについて異なり得る。
【００７１】
ＳＳ／ＰＢＣＨブロックおよび制御リソースセット（ＣＯＲＥＳＥＴ）多重化パターン１（タイプ１）の場合、ＵＥは、スロットｎ０から開始する２つの連続するスロットにわたってタイプ０−ＰＤＣＣＨ共通探索空間におけるＰＤＣＣＨを監視する。インデックスｉをもつＳＳ／ＰＢＣＨブロックの場合、ＵＥは、
2021514128.tif 000007
である場合はＳＦＮＣ  ｍｏｄ２＝０を満たすシステムフレーム番号（ＳＦＮ）ＳＦＮＣをもつフレーム中に位置するか、または
2021514128.tif 000008
である場合はＳＦＮＣ  ｍｏｄ２＝１を満たすＳＦＮをもつフレーム中に位置する
2021514128.tif 000009
としてスロットｎ０のインデックスを決定する。ＭおよびＯは、表１および表２と、制御リソースセットにおけるＰＤＣＣＨ受信のためのサブキャリア間隔［４，ＴＳ３８．２１１］に基づくμ∈｛０，１，２，３｝とによって提供される。スロットｎｃ中の制御リソースセットの第１のシンボルについてのインデックスは、表１および表２によって提供される第１のシンボルインデックスである。
【００７２】
表１は、タイプ０−ＰＤＣＣＨ共通探索空間−ＳＳ／ＰＢＣＨブロックおよび制御リソースセット多重化パターン１の場合の、ならびに６ＧＨｚよりも小さいかそれに等しいキャリア周波数の場合のＰＤＣＣＨ監視オケージョン（ｍｏｎｉｔｏｒｉｎｇ  ｏｃｃａｓｉｏｎ）についてのパラメータを示す。
2021514128.tif 000010
【００７３】
表２は、タイプ０−ＰＤＣＣＨ共通探索空間−ＳＳ／ＰＢＣＨブロックおよび制御リソースセット多重化パターン１の場合の、ならびに６ＧＨｚを上回るキャリア周波数の場合のＰＤＣＣＨ監視オケージョンについてのパラメータを示す。
2021514128.tif 000011
【００７４】
図４および図５は、それぞれ、Ｍ＝１またはＭ＝１／２であるときのＲＭＳＩ  ＣＯＲＥＳＥＴにおける可能なＰＤＣＣＨ監視ウィンドウを示す。図４は、Ｍ＝１であるときのＲＭＳＩ  ＣＯＲＳＥＴにおけるＰＤＣＣＨ監視ウィンドウを示す図４００を示す。図５は、Ｍ＝１／２であるときのＲＭＳＩ  ＣＯＲＳＥＴにおけるＰＤＣＣＨ監視ウィンドウを示す図５００を示す。Ｎ＝１／Ｍである場合、図４ではＮ＝１、Ｍ＝１であり、図５ではＮ＝２である。
【００７５】
（それぞれ、最新の３ＧＰＰ  ＴＳ３８．２１３  Ｖ１５．０．１からの表１３−１１および表１３−１２である）表１および表２、ならびに上記で言及された図に基づいて、Ｍ＜１であるとき、スロットごとに２つ以上の探索空間セットがあり得る。Ｍ≧１であるとき、スロットごとに１つの探索空間セットのみがあることになる。第１のシンボルインデックスは、表と、これらの２つの表に示されている特定の設定とに基づいて、０、７、または
2021514128.tif 000012
になり得る。
【００７６】
ＳＳ／ＰＢＣＨブロックならびに制御リソースセット多重化パターン２および３の場合、ＵＥは、ＳＳ／ＰＢＣＨブロックの周期性に等しいタイプ０−ＰＤＣＣＨ共通探索空間周期性を用いて、１つのスロットにわたってタイプ０−ＰＤＣＣＨ共通探索空間中のＰＤＣＣＨを監視する。インデックスｉをもつＳＳ／ＰＢＣＨブロックの場合、ＵＥは、（３ＧＰＰ  ＴＳ３８．２１３  Ｖ１５．０．１における表１３−１３〜１３−１５などの）他の表において提供されるパラメータに基づいて、スロットインデックスｎｃおよびＳＦＮＣを決定する。
【００７７】
現在、（１つまたは複数の）ある課題が存在する。知られているように、ＤＣＩ中の時間領域におけるＰＤＳＣＨスケジューリング情報のシグナリングは、極めて費用がかかる。ＲＲＣ接続の後のＰＤＳＣＨ送信の場合、ＤＣＩの低いオーバーヘッドを保つために、何らかの余分なシグナリングがＲＲＣからフェッチされ得る。ＲＭＳＩはＲＲＣ接続の前に復号され得、したがって、時間領域における、ＲＭＳＩを搬送するＰＤＳＣＨの割り当ては、特別に規定される必要があり得る。ＲＲＣの前のページング／ＲＡＲおよび他のメッセージについて、同様の問題が発生し得る。
【００７８】
本開示のいくつかの態様およびそれらの実施形態は、これらまたは他の課題のソリューションを提供し得る。たとえば、説明される実施形態では、ＰＢＣＨ中のＲＭＳＩ  ＣＯＲＥＳＥＴ設定に基づいて、ＲＲＣ接続の前にＲＭＳＩ／ページング／ＲＡＲなどを搬送するＰＤＳＣＨの時間領域割り当てのためのいくつかの規定が提案される。また、ＲＲＣ接続の前にＲＭＳＩ／ＲＡＲ／ページングなどのメッセージを搬送するＰＤＳＣＨの時間領域割り当てのためのＲＭＳＩ  ＣＯＲＳＥＴ設定ベース規定が提案される。
【００７９】
いくつかの実施形態は、（１つまたは複数の）以下の技術的利点のうちの１つまたは複数を提供し得る。ＰＢＣＨによって設定される可能なＣＯＲＥＳＥＴ位置による、時間領域における、ＲＲＣ接続の前にＲＭＳＩ／ページング／ＲＡＲなどを搬送するＰＤＳＣＨの割り当てのための方法が提供され、これは、ＤＣＩ中のシグナリングをほとんどまたはまったく必要としない。
【００８０】
以下では、本開示におけるＰＢＣＨからのＲＭＳＩ  ＣＯＲＥＳＥＴ設定による、ＲＲＣ接続の前にＲＭＳＩ／ページング／ＲＡＲなどを搬送するＰＤＳＣＨの時間領域割り当てのためのいくつかの規定またはシグナリングが提案される。シグナリングは、いくつかの設定のために必要である場合、ＰＤＳＣＨをスケジュールする対応するＤＣＩ中にあり得る。
【００８１】
例示的な実施形態が以下で与えられる。
１）ＳＳ／ＰＢＣＨブロックとＲＭＳＩ  ＣＯＲＥＳＥＴとが図３のパターン２（タイプ２）またはパターン３（タイプ３）を用いて多重化される場合、
ａ）ＤＣＩシグナリングが必要とされず、
ｉ）パターン２の場合、ＵＥは、ＰＤＳＣＨがＳＳ／ＰＢＣＨブロックの第１のシンボルから開始し、ＳＳ／ＰＢＣＨブロックの最後のシンボルで終了すると仮定することができ、
ｉｉ）パターン３の場合、ＵＥは、ＰＤＳＣＨがＲＭＳＩ  ＣＯＲＥＳＥＴの最後のシンボルのすぐ後に開始し、ＳＳ／ＰＢＣＨブロックの最後のシンボルで終了すると仮定することができる。
ｂ）ＰＤＳＣＨについて異なる数のシンボルが望まれる場合、ＤＣＩシグナリングが必要とされ得、パターン２またはパターン３の場合にこれを示すために何らかの余分なシグナリング（たとえば、２ビット）が導入され得る。
２）ＳＳ／ＰＢＣＨブロックとＲＭＳＩ  ＣＯＲＥＳＥＴとが図３のパターン１（タイプ１）を用いて多重化される場合、
ａ）ＤＣＩ中に追加の２ビットシグナリングが導入され得る（ＲＭＳＩ  ＣＯＲＥＳＥＴとＰＤＳＣＨとの間の時間ギャップが必要とされる場合により多くのビットが導入され得る）。
ｉ）ＣＯＲＥＳＥＴが１つの通常スロットの第１のシンボル（すなわちシンボル０）から開始し、Ｍ≧１である場合、
（１）非スロットベーススケジューリングの場合、ＰＤＳＣＨは、ＣＯＲＥＳＥＴのすぐ後に開始する（ＵＥはミニスロット長ごとの固定ＤＭＲＳパターンを仮定する）。
（２）スロットベーススケジューリングの場合、ＰＤＳＣＨは、ＣＯＲＥＳＥＴのすぐ後に開始してスロットの終了まで続き、固定ＤＭＲＳパターンが常に使用される。
ｉｉ）他の場合、
（１）非スロットベーススケジューリングを使用して、ＰＤＳＣＨは、ＣＯＲＥＳＥＴのすぐ後の第１の利用可能なシンボルから開始する（ミニスロット長ごとの固定ＤＭＲＳパターンを仮定する）。
３）他の実施形態では、他の方法および技法が同様に使用され得、上記の１）および２）に限定されない。たとえば、他の実施形態は、すべての可能な場合を保持するために固定表を有するデータ構造を採用し得、表中のエントリを識別するためにＤＣＩ中のいくつかのビットが使用され得る。シグナリングが必要とされない事例（たとえば、パターン３）では、ＵＥは、必ずしもこれらのビットを読み取る必要があるとは限らない。他の実施形態は、ＰＤＳＣＨのフレキシブルな長さまたはＲＭＳＩ  ＣＯＲＳＥＴとＰＤＳＣＨとの間のギャップについてのシグナリングを利用し得る。さらに他の実施形態が、同様に実施され得る。
例示的な表が以下に与えられ得る。
2021514128.tif 000013
表３：１つのスロット中のＰＢＣＨによって設定されたＣＯＲＥＳＥＴにおける、ＰＤＣＣＨによってスケジュールされたＰＤＳＣＨの時間領域割り当て
注１：（存在する場合）このスロット中のアップリンクシンボルは、ＰＤＳＣＨスケジューリングのために排除されるべきである。
注２：多重化パターン２の場合、ＰＤＳＣＨは、ＳＳ／ＰＢＣＨブロックの第１のシンボルから開始し、ＳＳ／ＰＢＣＨブロックの最後のシンボルで終了する。
多重化パターン３の場合、ＰＤＳＣＨは、ＲＭＳＩ  ＣＯＲＥＳＥＴの最後のシンボルのすぐ後に開始し、ＳＳ／ＰＢＣＨブロックの最後のシンボルで終了する。
【００８２】
本明細書で説明される主題は、任意の好適な構成要素を使用する任意の適切なタイプのシステムにおいて実装され得るが、本明細書で開示される実施形態は、図６に示されている例示的な無線ネットワークなどの無線ネットワークに関して説明される。簡単のために、図６の無線ネットワークは、ネットワーク６０６、ネットワークノード６６０および６６０ｂ、ならびにＷＤ６１０、６１０ｂ、および６１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード６６０および無線デバイス（ＷＤ）６１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００８３】
無線ネットワークは、任意のタイプの通信、通信、データ、セルラー、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００８４】
ネットワーク６０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００８５】
ネットワークノード６６０およびＷＤ６１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００８６】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。
【００８７】
ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００８８】
図６では、ネットワークノード６６０は、処理回路要素６７０と、デバイス可読媒体６８０と、インターフェース６９０と、補助機器６８４と、電源６８６と、電力回路要素６８７と、アンテナ６６２とを含む。図６の例示的な無線ネットワーク中に示されているネットワークノード６６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード６６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体６８０は、複数の別個のハードドライブならびに複数のＲＡＭモジュールを備え得る）。
【００８９】
同様に、ネットワークノード６６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード６６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード６６０は、複数の無線アクセス技術（ＲＡＴ）をサポートするように設定され得る。そのような実施形態では、いくつかの構成要素は複製され得（たとえば、異なるＲＡＴのための別個のデバイス可読媒体６８０）、いくつかの構成要素は再利用され得る（たとえば、同じアンテナ６６２がＲＡＴによって共有され得る）。ネットワークノード６６０は、ネットワークノード６６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード６６０内の他の構成要素に統合され得る。
【００９０】
処理回路要素６７０は、ネットワークノードによって提供されるものとして本明細書で説明される、任意の決定動作、計算動作、または同様の動作（たとえば、いくつかの取得動作）を実施するように設定される。処理回路要素６７０によって実施されるこれらの動作は、処理回路要素６７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００９１】
処理回路要素６７０は、単体で、またはデバイス可読媒体６８０などの他のネットワークノード６６０構成要素と併せてのいずれかで、ネットワークノード６６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素６７０は、デバイス可読媒体６８０に記憶された命令、または処理回路要素６７０内のメモリに記憶された命令を実行し得る。そのような機能性は、本明細書で説明される様々な無線特徴、機能、または利益のうちのいずれかを提供することを含み得る。いくつかの実施形態では、処理回路要素６７０は、システムオンチップ（ＳＯＣ）を含み得る。
【００９２】
いくつかの実施形態では、処理回路要素６７０は、無線周波数（ＲＦ）トランシーバ回路要素６７２とベースバンド処理回路要素６７４とのうちの１つまたは複数を含み得る。いくつかの実施形態では、無線周波数（ＲＦ）トランシーバ回路要素６７２とベースバンド処理回路要素６７４とは、別個のチップ（またはチップのセット）、ボード、または無線ユニットおよびデジタルユニットなどのユニット上にあり得る。代替実施形態では、ＲＦトランシーバ回路要素６７２とベースバンド処理回路要素６７４との一部または全部は、同じチップまたはチップのセット、ボード、あるいはユニット上にあり得る。
【００９３】
いくつかの実施形態では、ネットワークノード、基地局、ｅＮＢまたは他のそのようなネットワークデバイスによって提供されるものとして本明細書で説明される機能性の一部または全部は、デバイス可読媒体６８０、または処理回路要素６７０内のメモリに記憶された、命令を実行する処理回路要素６７０によって実施され得る。代替実施形態では、機能性の一部または全部は、ハードワイヤード様式などで、別個のまたは個別のデバイス可読媒体に記憶された命令を実行することなしに、処理回路要素６７０によって提供され得る。それらの実施形態のいずれでも、デバイス可読記憶媒体に記憶された命令を実施するか否かにかかわらず、処理回路要素６７０は、説明される機能性を実施するように設定され得る。そのような機能性によって提供される利益は、処理回路要素６７０単独に、またはネットワークノード６６０の他の構成要素に限定されないが、全体としてネットワークノード６６０によって、ならびに／または概してエンドユーザおよび無線ネットワークによって、享受される。
【００９４】
デバイス可読媒体６８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素６７０によって使用され得る情報、データ、および／または命令を記憶する、任意の他の揮発性または不揮発性、非一時的デバイス可読および／またはコンピュータ実行可能メモリデバイスを備え得る。デバイス可読媒体６８０は、コンピュータプログラム、ソフトウェア、論理、ルール、コード、テーブルなどのうちの１つまたは複数を含むアプリケーション、および／または処理回路要素６７０によって実行されることが可能であり、ネットワークノード６６０によって利用される、他の命令を含む、任意の好適な命令、データまたは情報を記憶し得る。デバイス可読媒体６８０は、処理回路要素６７０によって行われた計算および／またはインターフェース６９０を介して受信されたデータを記憶するために使用され得る。いくつかの実施形態では、処理回路要素６７０およびデバイス可読媒体６８０は、統合されていると見なされ得る。
【００９５】
インターフェース６９０は、ネットワークノード６６０、ネットワーク６０６、および／またはＷＤ６１０の間のシグナリングおよび／またはデータの有線または無線通信において使用される。示されているように、インターフェース６９０は、たとえば有線接続上でネットワーク６０６との間でデータを送るおよび受信するための（１つまたは複数の）ポート／（１つまたは複数の）端末６９４を備える。インターフェース６９０は、アンテナ６６２に結合されるか、またはいくつかの実施形態では、アンテナ６６２の一部であり得る、無線フロントエンド回路要素６９２をも含む。無線フロントエンド回路要素６９２は、フィルタ６９８と増幅器６９６とを備える。無線フロントエンド回路要素６９２は、アンテナ６６２および処理回路要素６７０に接続され得る。無線フロントエンド回路要素は、アンテナ６６２と処理回路要素６７０との間で通信される信号を調節するように設定され得る。無線フロントエンド回路要素６９２は、無線接続を介して他のネットワークノードまたはＷＤに送出されるべきであるデジタルデータを受信し得る。無線フロントエンド回路要素６９２は、デジタルデータを、フィルタ６９８および／または増幅器６９６の組合せを使用して適切なチャネルおよび帯域幅パラメータを有する無線信号に変換し得る。無線信号は、次いで、アンテナ６６２を介して送信され得る。同様に、データを受信するとき、アンテナ６６２は無線信号を収集し得、次いで、無線信号は無線フロントエンド回路要素６９２によってデジタルデータに変換される。デジタルデータは、処理回路要素６７０に受け渡され得る。他の実施形態では、インターフェースは、異なる構成要素および／または構成要素の異なる組合せを備え得る。
【００９６】
いくつかの代替実施形態では、ネットワークノード６６０は別個の無線フロントエンド回路要素６９２を含まないことがあり、代わりに、処理回路要素６７０は、無線フロントエンド回路要素を備え得、別個の無線フロントエンド回路要素６９２なしでアンテナ６６２に接続され得る。同様に、いくつかの実施形態では、ＲＦトランシーバ回路要素６７２の全部または一部が、インターフェース６９０の一部と見なされ得る。さらに他の実施形態では、インターフェース６９０は、無線ユニット（図示せず）の一部として、１つまたは複数のポートまたは端末６９４と、無線フロントエンド回路要素６９２と、ＲＦトランシーバ回路要素６７２とを含み得、インターフェース６９０は、デジタルユニット（図示せず）の一部であるベースバンド処理回路要素６７４と通信し得る。
【００９７】
アンテナ６６２は、無線信号を送り、および／または受信するように設定された、１つまたは複数のアンテナまたはアンテナアレイを含み得る。アンテナ６６２は、無線フロントエンド回路要素６９２に結合され得、データおよび／または信号を無線で送信および受信することが可能な任意のタイプのアンテナであり得る。いくつかの実施形態では、アンテナ６６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ６６２は、ネットワークノード６６０とは別個であり得、インターフェースまたはポートを通してネットワークノード６６０に接続可能であり得る。
【００９８】
アンテナ６６２、インターフェース６９０、および／または処理回路要素６７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ６６２、インターフェース６９０、および／または処理回路要素６７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００９９】
電力回路要素６８７は、電力管理回路要素を備えるか、または電力管理回路要素に結合され得、本明細書で説明される機能性を実施するための電力を、ネットワークノード６６０の構成要素に供給するように設定される。電力回路要素６８７は、電源６８６から電力を受信し得る。電源６８６および／または電力回路要素６８７は、それぞれの構成要素に好適な形式で（たとえば、各それぞれの構成要素のために必要とされる電圧および電流レベルにおいて）、ネットワークノード６６０の様々な構成要素に電力を提供するように設定され得る。電源６８６は、電力回路要素６８７および／またはネットワークノード６６０中に含まれるか、あるいは電力回路要素６８７および／またはネットワークノード６６０の外部にあるかのいずれかであり得る。たとえば、ネットワークノード６６０は、電気ケーブルなどの入力回路要素またはインターフェースを介して外部電源（たとえば、電気コンセント）に接続可能であり得、それにより、外部電源は電力回路要素６８７に電力を供給する。さらなる例として、電源６８６は、電力回路要素６８７に接続された、または電力回路要素６８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１００】
ネットワークノード６６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図６に示されている構成要素以外の追加の構成要素を含み得る。たとえば、ネットワークノード６６０は、ネットワークノード６６０への情報の入力を可能にするための、およびネットワークノード６６０からの情報の出力を可能にするための、ユーザインターフェース機器を含み得る。これは、ユーザが、ネットワークノード６６０のための診断、メンテナンス、修復、および他のアドミニストレーティブ機能を実施することを可能にし得る。
【０１０１】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、Ｖ２Ｘ（Ｖｅｈｉｃｌｅ−ｔｏ−Ｅｖｅｒｙｔｈｉｎｇ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシン間（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれるこ��もある。
【０１０２】
示されているように、無線デバイス６１０は、アンテナ６１１と、インターフェース６１４と、処理回路要素６２０と、デバイス可読媒体６３０と、ユーザインターフェース機器６３２と、補助機器６３４と、電源６３６と、電力回路要素６３７とを含む。ＷＤ６１０は、ＷＤ６１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ６１０内の他の構成要素と同じまたは異なるチップまたはチップのセットに統合され得る。
【０１０３】
アンテナ６１１は、無線信号を送り、および／または受信するように設定された、１つまたは複数のアンテナまたはアンテナアレイを含み得、インターフェース６１４に接続される。いくつかの代替実施形態では、アンテナ６１１は、ＷＤ６１０とは別個であり、インターフェースまたはポートを通してＷＤ６１０に接続可能であり得る。アンテナ６１１、インターフェース６１４、および／または処理回路要素６２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ６１１は、インターフェースと見なされ得る。
【０１０４】
示されているように、インターフェース６１４は、無線フロントエンド回路要素６１２とアンテナ６１１とを備える。無線フロントエンド回路要素６１２は、１つまたは複数のフィルタ６１８と増幅器６１６とを備える。無線フロントエンド回路要素６１２は、アンテナ６１１および処理回路要素６２０に接続され、アンテナ６１１と処理回路要素６２０との間で通信される信号を調節するように設定される。無線フロントエンド回路要素６１２は、アンテナ６１１に結合されるか、またはアンテナ６１１の一部であり得る。いくつかの実施形態では、ＷＤ６１０は別個の無線フロントエンド回路要素６１２を含まないことがあり、むしろ、処理回路要素６２０は、無線フロントエンド回路要素を備え得、アンテナ６１１に接続され得る。同様に、いくつかの実施形態では、ＲＦトランシーバ回路要素６２２の一部または全部が、インターフェース６１４の一部と見なされ得る。無線フロントエンド回路要素６１２は、無線接続を介して他のネットワークノードまたはＷＤに送出されるべきであるデジタルデータを受信し得る。無線フロントエンド回路要素６１２は、デジタルデータを、フィルタ６１８および／または増幅器６１６の組合せを使用して適切なチャネルおよび帯域幅パラメータを有する無線信号に変換し得る。無線信号は、次いで、アンテナ６１１を介して送信され得る。同様に、データを受信するとき、アンテナ６１１は無線信号を収集し得、次いで、無線信号は無線フロントエンド回路要素６１２によってデジタルデータに変換される。デジタルデータは、処理回路要素６２０に受け渡され得る。他の実施形態では、インターフェースは、異なる構成要素および／または構成要素の異なる組合せを備え得る。
【０１０５】
処理回路要素６２０は、単体で、またはデバイス可読媒体６３０などの他のＷＤ６１０構成要素と併せてのいずれかで、ＷＤ６１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素６２０は、本明細書で開示される機能性を提供するために、デバイス可読媒体６３０に記憶された命令、または処理回路要素６２０内のメモリに記憶された命令を実行し得る。
【０１０６】
示されているように、処理回路要素６２０は、ＲＦトランシーバ回路要素６２２、ベースバンド処理回路要素６２４、およびアプリケーション処理回路要素６２６のうちの１つまたは複数を含む。他の実施形態では、処理回路要素は、異なる構成要素および／または構成要素の異なる組合せを備え得る。いくつかの実施形態では、ＷＤ６１０の処理回路要素６２０は、ＳＯＣを備え得る。いくつかの実施形態では、ＲＦトランシーバ回路要素６２２、ベースバンド処理回路要素６２４、およびアプリケーション処理回路要素６２６は、別個のチップまたはチップのセット上にあり得る。代替実施形態では、ベースバンド処理回路要素６２４およびアプリケーション処理回路要素６２６の一部または全部は１つのチップまたはチップのセットになるように組み合わせられ得、ＲＦトランシーバ回路要素６２２は別個のチップまたはチップのセット上にあり得る。さらに代替の実施形態では、ＲＦトランシーバ回路要素６２２およびベースバンド処理回路要素６２４の一部または全部は同じチップまたはチップのセット上にあり得、アプリケーション処理回路要素６２６は別個のチップまたはチップのセット上にあり得る。また他の代替実施形態では、ＲＦトランシーバ回路要素６２２、ベースバンド処理回路要素６２４、およびアプリケーション処理回路要素６２６の一部または全部は、同じチップまたはチップのセット中で組み合わせられ得る。いくつかの実施形態では、ＲＦトランシーバ回路要素６２２は、インターフェース６１４の一部であり得る。ＲＦトランシーバ回路要素６２２は、処理回路要素６２０のためのＲＦ信号を調節し得る。
【０１０７】
いくつかの実施形態では、ＷＤによって実施されるものとして本明細書で説明される機能性の一部または全部は、デバイス可読媒体６３０に記憶された命令を実行する処理回路要素６２０によって提供され得、デバイス可読媒体６３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素６２０によって提供され得る。それらの特定の実施形態のいずれでも、デバイス可読記憶媒体に記憶された命令を実行するか否かにかかわらず、処理回路要素６２０は、説明される機能性を実施するように設定され得る。そのような機能性によって提供される利益は、処理回路要素６２０単独に、またはＷＤ６１０の他の構成要素に限定されないが、全体としてＷＤ６１０によって、ならびに／または概してエンドユーザおよび無線ネットワークによって、享受される。
【０１０８】
処理回路要素６２０は、ＷＤによって実施されるものとして本明細書で説明される、任意の決定動作、計算動作、または同様の動作（たとえば、いくつかの取得動作）を実施するように設定され得る。処理回路要素６２０によって実施されるようなこれらの動作は、処理回路要素６２０によって取得された情報を、たとえば、取得された情報を他の情報に変換することによって、処理すること、取得された情報または変換された情報をＷＤ６１０によって記憶された情報と比較すること、ならびに／あるいは、取得された情報または変換された情報に基づいて、および前記処理が決定を行ったことの結果として、１つまたは複数の動作を実施することを含み得る。
【０１０９】
デバイス可読媒体６３０は、コンピュータプログラム、ソフトウェア、論理、ルール、コード、テーブルなどのうちの１つまたは複数を含むアプリケーション、および／または処理回路要素６２０によって実行されることが可能な他の命令を記憶するように動作可能であり得る。デバイス可読媒体６３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素６２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素６２０およびデバイス可読媒体６３０は、統合されていると見なされ得る。
【０１１０】
ユーザインターフェース機器６３２は、人間のユーザがＷＤ６１０と対話することを可能にする構成要素を提供し得る。そのような対話は、視覚、聴覚、触覚など、多くの形態のものであり得る。ユーザインターフェース機器６３２は、ユーザへの出力を作り出すように、およびユーザがＷＤ６１０への入力を提供することを可能にするように動作可能であり得る。対話のタイプは、ＷＤ６１０にインストールされるユーザインターフェース機器６３２のタイプに応じて変動し得る。たとえば、ＷＤ６１０がスマートフォンである場合、対話はタッチスクリーンを介したものであり得、ＷＤ６１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器６３２は、入力インターフェース、デバイスおよび回路、ならびに、出力インターフェース、デバイスおよび回路を含み得る。ユーザインターフェース機器６３２は、ＷＤ６１０への情報の入力を可能にするように設定され、処理回路要素６２０が入力情報を処理することを可能にするために、処理回路要素６２０に接続される。ユーザインターフェース機器６３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器６３２はまた、ＷＤ６１０からの情報の出力を可能にするように、および処理回路要素６２０がＷＤ６１０からの情報を出力することを可能にするように設定される。ユーザインターフェース機器６３２は、たとえば、スピーカー、ディスプレイ、振動回路要素、ＵＳＢポート、ヘッドフォンインターフェース、または他の出力回路要素を含み得る。ユーザインターフェース機器６３２の１つまたは複数の入力および出力インターフェース、デバイス、および回路を使用して、ＷＤ６１０は、エンドユーザおよび／または無線ネットワークと通信し、エンドユーザおよび／または無線ネットワークが本明細書で説明される機能性から利益を得ることを可能にし得る。
【０１１１】
補助機器６３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器６３４の構成要素の包含およびタイプは、実施形態および／またはシナリオに応じて変動し得る。
【０１１２】
電源６３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ６１０は、電源６３６から、本明細書で説明または指示される任意の機能性を行うために電源６３６からの電力を必要とする、ＷＤ６１０の様々な部分に電力を配信するための、電力回路要素６３７をさらに備え得る。電力回路要素６３７は、いくつかの実施形態では、電力管理回路要素を備え得る。電力回路要素６３７は、追加または代替として、外部電源から電力を受信するように動作可能であり得、その場合、ＷＤ６１０は、電力ケーブルなどの入力回路要素またはインターフェースを介して（電気コンセントなどの）外部電源に接続可能であり得る。電力回路要素６３７はまた、いくつかの実施形態では、外部電源から電源６３６に電力を配信するように動作可能であり得る。これは、たとえば、電源６３６の充電のためのものであり得る。電力回路要素６３７は、電源６３６からの電力に対して、その電力を、電力が供給されるＷＤ６１０のそれぞれの構成要素に好適であるようにするために、任意のフォーマッティング、変換、または他の修正を実施し得る。
【０１１３】
図７は、本明細書で説明される様々な態様による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ７００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図７に示されているＵＥ７００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図７はＵＥであるが、本明細書で説明される構成要素は、ＷＤに等しく適用可能であり、その逆も同様である。
【０１１４】
図７では、ＵＥ７００は、入出力インターフェース７０５、無線周波数（ＲＦ）インターフェース７０９、ネットワーク接続インターフェース７１１、ランダムアクセスメモリ（ＲＡＭ）７１７と読取り専用メモリ（ＲＯＭ）７１９と記憶媒体７２１などとを含むメモリ７１５、通信サブシステム７３１、電源７１３、および／または他の構成要素、あるいはそれらの任意の組合せに動作可能に結合された、処理回路要素７０１を含む。記憶媒体７２１は、オペレーティングシステム７２３と、アプリケーションプログラム７２５と、データ７２７とを含む。他の実施形態では、記憶媒体７２１は、他の同様のタイプの情報を含み得る。いくつかのＵＥは、図７に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１１５】
図７では、処理回路要素７０１は、コンピュータ命令およびデータを処理するように設定され得る。処理回路要素７０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素７０１は、２つの中央処理ユニット（ＣＰＵ）を含み得る。データは、コンピュータによる使用に好適な形式での情報であり得る。
【０１１６】
図示された実施形態では、入出力インターフェース７０５は、入力デバイス、出力デバイス、または入出力デバイスに通信インターフェースを提供するように設定され得る。ＵＥ７００は、入出力インターフェース７０５を介して出力デバイスを使用するように設定され得る。出力デバイスは、入力デバイスと同じタイプのインターフェースポートを使用し得る。たとえば、ＵＥ７００への入力およびＵＥ７００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ７００は、ユーザがＵＥ７００に情報をキャプチャすることを可能にするために、入出力インターフェース７０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１１７】
図７では、ＲＦインターフェース７０９は、送信機、受信機、およびアンテナなど、ＲＦ構成要素に通信インターフェースを提供するように設定され得る。ネットワーク接続インターフェース７１１は、ネットワーク７４３ａに通信インターフェースを提供するように設定され得る。ネットワーク７４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ａは、Ｗｉ−Ｆｉネットワークを備え得る。ネットワーク接続インターフェース７１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース７１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【０１１８】
ＲＡＭ７１７は、オペレーティングシステム、アプリケーションプログラム、およびデバイスドライバなど、ソフトウェアプログラムの実行中に、データまたはコンピュータ命令の記憶またはキャッシングを提供するために、バス７０２を介して処理回路要素７０１にインターフェースするように設定され得る。ＲＯＭ７１９は、処理回路要素７０１にコンピュータ命令またはデータを提供するように設定され得る。たとえば、ＲＯＭ７１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体７２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体７２１は、オペレーティングシステム７２３と、ウェブブラウザアプリケーション、ウィジェットまたはガジェットエンジン、あるいは別のアプリケーションなどのアプリケーションプログラム７２５と、データファイル７２７とを含むように設定され得る。記憶媒体７２１は、ＵＥ７００による使用のために、多様な様々なオペレーティングシステムまたはオペレーティングシステムの組合せのうちのいずれかを記憶し得る。
【０１１９】
記憶媒体７２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体７２１は、ＵＥ７００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体７２１中に有形に具現され得、記憶媒体７２１はデバイス可読媒体を備え得る。
【０１２０】
図７では、処理回路要素７０１は、通信サブシステム７３１を使用してネットワーク７４３ｂと通信するように設定され得る。ネットワーク７４３ａとネットワーク７４３ｂとは、同じ１つまたは複数のネットワークまたは異なる１つまたは複数のネットワークであり得る。通信サブシステム７３１は、ネットワーク７４３ｂと通信するために使用される１つまたは複数のトランシーバを含むように設定され得る。たとえば、通信サブシステム７３１は、ＩＥＥＥ８０２．７、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機７３３および／または受信機７３５を含み得る。さらに、各トランシーバの送信機７３３および受信機７３５は、回路構成要素、ソフトウェアまたはファームウェアを共有し得るか、または、代替的に、別個に実装され得る。
【０１２１】
示されている実施形態では、通信サブシステム７３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム７３１は、セルラー通信と、Ｗｉ−Ｆｉ通信と、Ｂｌｕｅｔｏｏｔｈ通信と、ＧＰＳ通信とを含み得る。ネットワーク７４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ｂは、セルラーネットワーク、Ｗｉ−Ｆｉネットワーク、および／またはニアフィールドネットワークであり得る。電源７１３は、ＵＥ７００の構成要素に交流（ＡＣ）または直流（ＤＣ）電力を提供するように設定され得る。
【０１２２】
本明細書で説明される特徴、利益および／または機能は、ＵＥ７００の構成要素のうちの１つにおいて実装されるか、またはＵＥ７００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム７３１は、本明細書で説明される構成要素のうちのいずれかを含むように設定され得る。さらに、処理回路要素７０１は、バス７０２上でそのような構成要素のうちのいずれかと通信するように設定され得る。別の例では、そのような構成要素のうちのいずれかは、処理回路要素７０１によって実行されたとき、本明細書で説明される対応する機能を実施する、メモリに記憶されたプログラム命令によって表され得る。別の例では、そのような構成要素のうちのいずれかの機能性は、処理回路要素７０１と通信サブシステム７３１との間で分割され得る。別の例では、そのような構成要素のうちのいずれかの非計算集約的機能が、ソフトウェアまたはファームウェアで実装され得、計算集約的機能がハードウェアで実装され得る。
【０１２３】
図８は、いくつかの実施形態によって実装される機能が仮想化され得る、仮想化環境８００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１２４】
いくつかの実施形態では、本明細書で説明される機能の一部または全部は、ハードウェアノード８３０のうちの１つまたは複数によってホストされる１つまたは複数の仮想環境８００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１２５】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション８２０によって実装され得る。アプリケーション８２０は、処理回路要素８６０とメモリ８９０−１とを備えるハードウェア８３０を提供する、仮想化環境８００において稼働される。メモリ８９０−１は、処理回路要素８６０によって実行可能な命令８９５を含んでおり、それにより、アプリケーション８２０は、本明細書で開示される特徴、利益、および／または機能のうちの１つまたは複数を提供するように動作可能である。
【０１２６】
仮想化環境８００は、１つまたは複数のプロセッサのセットまたは処理回路要素８６０を備える、汎用または専用のネットワークハードウェアデバイス８３０を備え、１つまたは複数のプロセッサのセットまたは処理回路要素８６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ８９０−１を備え得、メモリ８９０−１は、処理回路要素８６０によって実行される命令８９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）８７０を備え得、ネットワークインターフェースコントローラ（ＮＩＣ）８７０は物理ネットワークインターフェース８８０を含む。各ハードウェアデバイスは、処理回路要素８６０によって実行可能なソフトウェア８９５および／または命令を記憶した、非一時的、永続的、機械可読記憶媒体８９０−２をも含み得る。ソフトウェア８９５は、１つまたは複数の（ハイパーバイザとも呼ばれる）仮想化レイヤ８５０をインスタンス化するためのソフトウェア、仮想マシン８４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１２７】
仮想マシン８４０は、仮想処理、仮想メモリ、仮想ネットワーキングまたはインターフェース、および仮想記憶域を備え、対応する仮想化レイヤ８５０またはハイパーバイザによって稼働され得る。仮想アプライアンス８２０の事例の異なる実施形態が、仮想マシン８４０のうちの１つまたは複数上で実装され得、実装は異なるやり方で行われ得る。
【０１２８】
動作中に、処理回路要素８６０は、ソフトウェア８９５を実行してハイパーバイザまたは仮想化レイヤ８５０をインスタンス化し、ハイパーバイザまたは仮想化レイヤ８５０は、時々、仮想マシンモニタ（ＶＭＭ）と呼ばれることがある。仮想化レイヤ８５０は、仮想マシン８４０に、ネットワーキングハードウェアのように見える仮想動作プラットフォームを提示し得る。
【０１２９】
図８に示されているように、ハードウェア８３０は、一般的なまたは特定の構成要素をもつスタンドアロンネットワークノードであり得る。ハードウェア８３０は、アンテナ８２２５を備え得、仮想化を介していくつかの機能を実装し得る。代替的に、ハードウェア８３０は、多くのハードウェアノードが協働し、特に、アプリケーション８２０のライフサイクル管理を監督する、管理およびオーケストレーション（ＭＡＮＯ）８１００を介して管理される、（たとえば、データセンターまたは顧客構内機器（ＣＰＥ）の場合のような）ハードウェアのより大きいクラスタの一部であり得る。
【０１３０】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１３１】
ＮＦＶのコンテキストでは、仮想マシン８４０は、プログラムを、それらのプログラムが、物理的な仮想化されていないマシン上で実行しているかのように稼働する、物理マシンのソフトウェア実装形態であり得る。仮想マシン８４０の各々と、その仮想マシンに専用のハードウェアであろうと、および／またはその仮想マシンによって仮想マシン８４０のうちの他の仮想マシンと共有されるハードウェアであろうと、その仮想マシンを実行するハードウェア８３０のその一部とは、別個の仮想ネットワークエレメント（ＶＮＥ）を形成する。
【０１３２】
さらにＮＦＶのコンテキストでは、仮想ネットワーク機能（ＶＮＦ）は、ハードウェアネットワーキングインフラストラクチャ８３０の上の１つまたは複数の仮想マシン８４０において稼働する特定のネットワーク機能をハンドリングすることを担当し、図８中のアプリケーション８２０に対応する。
【０１３３】
いくつかの実施形態では、各々、１つまたは複数の送信機８２２０と１つまたは複数の受信機８２１０とを含む、１つまたは複数の無線ユニット８２００は、１つまたは複数のアンテナ８２２５に結合され得る。無線ユニット８２００は、１つまたは複数の適切なネットワークインターフェースを介してハードウェアノード８３０と直接通信し得、無線アクセスノードまたは基地局など、無線能力をもつ仮想ノードを提供するために仮想構成要素と組み合わせて使用され得る。
【０１３４】
いくつかの実施形態では、何らかのシグナリングが、ハードウェアノード８３０と無線ユニット８２００との間の通信のために代替的に使用され得る制御システム８２３０を使用して、実現され得る。
【０１３５】
図９を参照すると、一実施形態によれば、通信システムが、無線アクセスネットワークなどのアクセスネットワーク９１１とコアネットワーク９１４とを備える、３ＧＰＰタイプセルラーネットワークなどの通信ネットワーク９１０を含む。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々が、対応するカバレッジエリア９１３ａ、９１３ｂ、９１３ｃを規定する。各基地局９１２ａ、９１２ｂ、９１２ｃは、有線接続または無線接続９１５上でコアネットワーク９１４に接続可能である。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが対応する基地局９１２に接続している状況に等しく適用可能である。
【０１３６】
通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ９３０は、サービスプロバイダの所有または制御下にあり得、あるいはサービスプロバイダによってまたはサービスプロバイダに代わって動作され得る。通信ネットワーク９１０とホストコンピュータ９３０との間の接続９２１および９２２は、コアネットワーク９１４からホストコンピュータ９３０に直接延び得るか、または随意の中間ネットワーク９２０を介して進み得る。中間ネットワーク９２０は、パブリックネットワーク、プライベートネットワーク、またはホストされたネットワークのうちの１つ、またはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【０１３７】
図９の通信システムは全体として、接続されたＵＥ９９１、９９２とホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０、および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという意味で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、通知されないことがあるかまたは通知される必要がない。同様に、基地局９１２は、ＵＥ９９１から発生してホストコンピュータ９３０に向かう発信アップリンク通信の将来ルーティングに気づいている必要がない。
【０１３８】
次に、一実施形態による、前の段落において説明されたＵＥ、基地局およびホストコンピュータの例示的な実装形態が、図１０を参照しながら説明される。通信システム１０００では、ホストコンピュータ１０１０が、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路要素１０１８をさらに備える。特に、処理回路要素１０１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１０１０は、ホストコンピュータ１０１０に記憶されるかまたはホストコンピュータ１０１０によってアクセス可能であり、処理回路要素１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【０１３９】
通信システム１０００は、通信システム中に提供される基地局１０２０をさらに含み、基地局１０２０は、基地局１０２０がホストコンピュータ１０１０およびＵＥ１０３０と通信することを可能にするハードウェア１０２５を備える。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは、接続１０６０は、通信システムのコアネットワーク（図１０に図示せず）を、および／または通信システムの外部の１つまたは複数の中間ネットワークを通過し得る。図示の実施形態では、基地局１０２０のハードウェア１０２５は、処理回路要素１０２８をさらに含み、処理回路要素１０２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１０２０は、内部的に記憶されるかまたは外部接続を介してアクセス可能なソフトウェア１０２１をさらに有する。
【０１４０】
通信システム１０００は、すでに言及されたＵＥ１０３０をさらに含む。ハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路要素１０３８をさらに含み、処理回路要素１０３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１０３０は、ＵＥ１０３０に記憶されるかまたはＵＥ１０３０によってアクセス可能であり、処理回路要素１０３８によって実行可能である、ソフトウェア１０３１をさらに備える。ソフトウェア１０３１はクライアントアプリケーション１０３２を含む。クライアントアプリケーション１０３２は、ホストコンピュータ１０１０のサポートのもとに、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【０１４１】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同様または同等であり得ることに留意されたい。つまり、これらのエンティティの内部の働きは、図１０に示されているようなものであり得、別個に、周囲のネットワークトポロジーは、図９のものであり得る。
【０１４２】
図１０では、ＯＴＴ接続１０５０は、仲介デバイスとこれらのデバイスを介したメッセージの正確なルーティングとへの明示的言及なしに、基地局１０２０を介したホストコンピュータ１０１０とＵＥ１０３０との間の通信を示すために抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１４３】
ＵＥ１０３０と基地局１０２０との間の無線接続１０７０は、本開示全体にわたって説明される実施形態の教示に従う。様々な実施形態のうちの１つまたは複数は、無線接続１０７０が最後のセグメントを形成するＯＴＴ接続１０５０を使用して、ＵＥ１０３０に提供されるＯＴＴサービスの性能を改善する。
【０１４４】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能性がさらにあり得る。測定プロシージャおよび／またはＯＴＴ接続１０５０を再設定するためのネットワーク機能性は、ホストコンピュータ１０１０のソフトウェア１０１１およびハードウェア１０１５でまたはＵＥ１０３０のソフトウェア１０３１およびハードウェア１０３５で、またはその両方で実装され得る。実施形態では、ＯＴＴ接続１０５０が通過する通信デバイスにおいてまたはそれに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１および１０３１が、ソフトウェア１０１１および１０３１が伝搬時間、エラーなどを監視する間にＯＴＴ接続１０５０を使用して、メッセージ、特に空のまたは「ダミー」メッセージが送信されることを引き起こすことにおいて、実装され得る。
【０１４５】
図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。ステップ１１１０において、ホストコンピュータはユーザデータを提供する。ステップ１１１０の（随意であり得る）サブステップ１１１１において、ホストコンピュータは、ホストアプリケーションを実行することによって、ユーザデータを提供する。ステップ１１２０において、ホストコンピュータは、ＵＥにユーザデータを搬送する送信を始動する。（随意であり得る）ステップ１１３０において、基地局は、本開示全体にわたって説明される実施形態の教示に従って、ホストコンピュータが始動した送信において搬送されたユーザデータをＵＥに送信する。（また、随意であり得る）ステップ１１４０において、ＵＥは、ホストコンピュータによって実行されるホストアプリケーションに関連するクライアントアプリケーションを実行する。
【０１４６】
図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。本方法のステップ１２１０において、ホストコンピュータはユーザデータを提供する。随意のサブステップ（図示せず）において、ホストコンピュータは、ホストアプリケーションを実行することによって、ユーザデータを提供する。ステップ１２２０において、ホストコンピュータは、ＵＥにユーザデータを搬送する送信を始動する。送信は、本開示全体にわたって説明される実施形態の教示に従って、基地局を介して進み得る。（随意であり得る）ステップ１２３０において、ＵＥは、送信において搬送されたユーザデータを受信する。
【０１４７】
図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。（随意であり得る）ステップ１３１０において、ＵＥは、ホストコンピュータによって提供された入力データを受信する。追加または代替として、ステップ１３２０において、ＵＥはユーザデータを提供する。ステップ１３２０の（随意であり得る）サブステップ１３２１において、ＵＥは、クライアントアプリケーションを実行することによって、ユーザデータを提供する。ステップ１３１０の（随意であり得る）サブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１３３０において、ホストコンピュータへのユーザデータの送信を始動する。本方法のステップ１３４０において、ホストコンピュータは、本開示全体にわたって説明される実施形態の教示に従って、ＵＥから送信されたユーザデータを受信する。
【０１４８】
図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。（随意であり得る）ステップ１４１０において、本開示全体にわたって説明される実施形態の教示に従って、基地局は、ＵＥからユーザデータを受信する。（随意であり得る）ステップ１４２０において、基地局は、ホストコンピュータへの、受信されたユーザデータの送信を始動する。（随意であり得る）ステップ１４３０において、ホストコンピュータは、基地局によって始動された送信において搬送されたユーザデータを受信する。
【０１４９】
図１５は、本開示の一実施形態による、ユーザ機器における方法を示すフローチャートである。
【０１５０】
ブロック１５１０において、少なくとも制御リソースセット（ＣＯＲＥＳＥＴ）設定に従って、ダウンリンク共有チャネルのための時間領域リソースが決定される。一実施形態では、ダウンリンク共有チャネルは物理ダウンリンク共有チャネル（ＰＤＳＣＨ）を含み得る。
【０１５１】
一実施形態では、ＳＳ／ＰＢＣＨブロックが第１のシンボルと最後のシンボルとを有し得る。ダウンリンク共有チャネルのための時間領域リソースは、以下のように決定され得る。
−  ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、ＳＳ／ＰＢＣＨブロックの第１のシンボルから開始し、ＳＳ／ＰＢＣＨブロックの最後のシンボルで終了すると決定すること、
−  ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、ＲＭＳＩ  ＣＯＲＥＳＥＴの最後のシンボルの直後に開始し、ＳＳ／ＰＢＣＨブロックの最後のシンボルで終了すると決定すること、
−  ＳＳ／ＰＢＣＨブロックとＲＭＳＩ  ＣＯＲＥＳＥＴとがタイプ１パターンを用いて多重化されるとき、ＣＯＲＥＳＥＴが１つの通常スロットの第１のシンボルから開始する場合、非スロットベーススケジューリングについて、ＰＤＳＣＨがＣＯＲＥＳＥＴの直後に開始すると決定すること、およびスロットベーススケジューリングについて、ＰＤＳＣＨがＣＯＲＥＳＥＴの直後に開始してスロットの終了まで続くと決定すること、またはＣＯＲＥＳＥＴが１つの通常スロットの第１のシンボルから開始しない場合、非スロットベーススケジューリングについて、ＰＤＳＣＨが、ＣＯＲＥＳＥＴの直後の第１の利用可能なシンボルから開始すると決定すること。
【０１５２】
随意のブロック１５２０において、本方法は、ダウンリンク共有チャネルにおいてデータを受信することをさらに含み得る。
【０１５３】
システム情報（ＳＩ）は、ＭＩＢといくつかのＳＩＢとからなり得、それらは、最小ＳＩと他のＳＩとに分割される。最小ＳＩは、初期アクセスのために必要とされる基本情報と、任意の他のＳＩを捕捉するための情報とを備える。詳細には、最小ＳＩは、以下を備える。
−  セル禁止ステータス情報（ｃｅｌｌ  ｂａｒｒｅｄ  ｓｔａｔｕｓ  ｉｎｆｏｒｍａｔｉｏｎ）と、さらなるシステム情報、たとえばＣＯＲＥＳＥＴ＃０設定を受信するために必要とされるセルの不可欠な物理レイヤ情報とを含んでいるＭＩＢ。ＭＩＢは、周期的にＢＣＨ上でブロードキャストされる。
−  他のシステム情報ブロックのスケジューリングを規定し、初期アクセスのために必要とされる情報を含んでいるＳＩＢ１。ＳＩＢ１は、残存最小ＳＩ（ＲＭＳＩ）とも呼ばれ、周期的にＤＬ−ＳＣＨ上でブロードキャストされるか、またはＲＲＣ＿ＣＯＮＮＥＣＴＥＤにあるＵＥにＤＬ−ＳＣＨ上で専用様式で送られる。
【０１５４】
他のＳＩは、最小ＳＩにおいてブロードキャストされないすべてのＳＩＢを備える。それらのＳＩＢは、周期的にＤＬ−ＳＣＨ上でブロードキャストされるか、オンデマンドで（すなわち、ＲＲＣ＿ＩＤＬＥまたはＲＲＣ＿ＩＮＡＣＴＩＶＥにあるＵＥからの要求時に）ＤＬ−ＳＣＨ上でブロードキャストされるか、またはＲＲＣ＿ＣＯＮＮＥＣＴＥＤにあるＵＥにＤＬ−ＳＣＨ上で専用様式で送られるかのいずれかであり得る。詳細には、他のＳＩは、以下を備える。
−  主にサービングセルに関係する、セル再選択情報を含んでいるＳＩＢ２、
−  （周波数について共通のセル再選択パラメータならびにセル固有再選択パラメータを含む）セル再選択に関連する、サービング周波数および周波数内隣接セルに関する情報を含んでいるＳＩＢ３、
−  （周波数について共通のセル再選択パラメータならびにセル固有再選択パラメータを含む）セル再選択に関連する、他のＮＲ周波数および周波数間隣接セルに関する情報を含んでいるＳＩＢ４、
−  （周波数について共通のセル再選択パラメータならびにセル固有再選択パラメータを含む）セル再選択に関連する、Ｅ−ＵＴＲＡ周波数およびＥ−ＵＴＲＡ隣接セルに関する情報を含んでいるＳＩＢ５、
−  ＥＴＷＳ１次通知を含んでいるＳＩＢ６、
−  ＥＴＷＳ２次通知を含んでいるＳＩＢ７、
−  ＣＭＡＳ警告通知を含んでいるＳＩＢ８、
−  ＧＰＳ時間および協定世界時（ＵＴＣ）に関係する情報を含んでいるＳＩＢ９。
【０１５５】
一実施形態では、ブロック１５２０において受信されたデータは、システム情報ブロック（ＳＩＢ）、ページングデータ、またはユーザデータを含み得る。ＳＩＢは、初期アクセスのために必要とされる情報を含んでいるＳＩＢ１を含み得る。さらに、ＳＩＢは、上述のＳＩＢ２〜ＳＩＢ９のうちの１つまたは複数など、他のＳＩＢをも備え得る。
【０１５６】
一実施形態では、ＣＯＲＥＳＥＴは、物理ブロードキャストチャネル（ＰＢＣＨ）によって設定され得る。
【０１５７】
一実施形態では、ダウンリンク共有チャネルは、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ得る。ＰＤＣＣＨは、タイプ０共通探索空間においてＵＥによって監視され得る。
【０１５８】
図１６は、本開示の一実施形態による、ユーザ機器における方法を示すフローチャートである。
【０１５９】
ブロック１６１０において、少なくとも制御リソースセット（ＣＯＲＥＳＥＴ）設定に従って、ダウンリンク共有チャネルのための時間領域リソースが利用される。ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。ＵＥによって利用されるダウンリンク共有チャネルのための時間領域リソースは、図１５を参照しながら説明されたように決定されたものであり得る。
【０１６０】
随意のブロック１６２０において、本方法は、ダウンリンク共有チャネルにおいてデータを受信することをさらに含み得る。データは、システム情報ブロック（ＳＩＢ）、ページングデータ、またはユーザデータを含み得る。ＳＩＢは、初期アクセスのために必要とされる情報を含んでいるＳＩＢ１と、上述のＳＩＢ２〜ＳＩＢ９のうちの１つまたは複数など、他のＳＩＢとを備え得る。
【０１６１】
図１７は、本開示の一実施形態による、ネットワークノードにおける方法を示すフローチャートである。
【０１６２】
ブロック１７１０において、少なくとも制御リソースセット（ＣＯＲＥＳＥＴ）設定に従って、ダウンリンク共有チャネルのための時間領域リソースが割り当てられる。一実施形態では、ダウンリンク共有チャネルは物理ダウンリンク共有チャネル（ＰＤＳＣＨ）を含み得る。
【０１６３】
一実施形態では、ＳＳ／ＰＢＣＨブロックが第１のシンボルと最後のシンボルとを有し得る。ダウンリンク共有チャネルのための時間領域リソースは、以下のように割り当てられ得る。
−  ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、ＳＳ／ＰＢＣＨブロックの第１のシンボルから開始し、ＳＳ／ＰＢＣＨブロックの最後のシンボルで終了することを割り当てること、
−  ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、ＲＭＳＩ  ＣＯＲＥＳＥＴの最後のシンボルの直後に開始し、ＳＳ／ＰＢＣＨブロックの最後のシンボルで終了することを割り当てること、
−  ＳＳ／ＰＢＣＨブロックとＲＭＳＩ  ＣＯＲＥＳＥＴとがタイプ１パターンを用いて多重化されるとき、ＣＯＲＥＳＥＴが１つの通常スロットの第１のシンボルから開始する場合、非スロットベーススケジューリングについて、ＰＤＳＣＨがＣＯＲＥＳＥＴの直後に開始することを割り当てること、およびスロットベーススケジューリングについて、ＰＤＳＣＨがＣＯＲＥＳＥＴの直後に開始してスロットの終了まで続くことを割り当てること、またはＣＯＲＥＳＥＴが１つの通常スロットの第１のシンボルから開始しない場合、非スロットベーススケジューリングについて、ＰＤＳＣＨが、ＣＯＲＥＳＥＴの直後の第１の利用可能なシンボルから開始することを割り当てること。
【０１６４】
随意のブロック１７２０において、本方法は、ダウンリンク共有チャネルにおいてデータを送信することをさらに含み得る。データは、システム情報ブロック（ＳＩＢ）、ページングデータ、またはユーザデータを含み得る。ＳＩＢは、初期アクセスのために必要とされる情報を含んでいるＳＩＢ１と、上述のＳＩＢ２〜ＳＩＢ９のうちの１つまたは複数など、他のＳＩＢとを備え得る。
【０１６５】
一実施形態では、ＣＯＲＥＳＥＴは、物理ブロードキャストチャネル（ＰＢＣＨ）によって設定され得る。
【０１６６】
一実施形態では、ダウンリンク共有チャネルは、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ得る。ＰＤＣＣＨは、タイプ０共通探索空間においてネットワークノードによって送信され得る。
【０１６７】
図１８は、本開示の一実施形態による、ネットワークノードにおける方法を示すフローチャートである。
【０１６８】
ブロック１８１０において、少なくとも制御リソースセット（ＣＯＲＥＳＥＴ）設定に従って、ダウンリンク共有チャネルのための時間領域リソースが利用される。ＣＯＲＥＳＥＴ設定はＣＯＲＥＳＥＴ位置によって決定され、ＣＯＲＥＳＥＴ位置は物理ブロードキャストチャネル（ＰＢＣＨ）によって設定される。ネットワークノードによって利用されるダウンリンク共有チャネルのための時間領域リソースは、図１７を参照しながら説明されたように割り当てられたものであり得る。
【０１６９】
随意のブロック１８２０において、本方法は、ダウンリンク共有チャネルにおいてデータを送信することをさらに含み得る。データは、システム情報ブロック（ＳＩＢ）、ページングデータ、またはユーザデータを含み得る。ＳＩＢは、初期アクセスのために必要とされる情報を含んでいるＳＩＢ１と、上述のＳＩＢ２〜ＳＩＢ９のうちの１つまたは複数など、他のＳＩＢとを備え得る。
【０１７０】
図１９は、本開示の一実施形態による、ネットワークノードにおける方法を示すフローチャートである。
【０１７１】
ブロック１９１０において、残存最小システム情報（ＲＭＳＩ）制御リソースセット（ＣＯＲＥＳＥＴ）設定に従って、物理ダウンリンク共有チャネル（ＰＤＳＣＨ）のための時間領域リソース割り当てがシグナリングされる。
【０１７２】
一実施形態では、ＳＳ／ＰＢＣＨブロックが第１のシンボルと最後のシンボルとを有し得る。ダウンリンク共有チャネルのための時間領域リソースは、以下のようにシグナリングされ得る。
−  ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、ＳＳ／ＰＢＣＨブロックの第１のシンボルから開始し、ＳＳ／ＰＢＣＨブロックの最後のシンボルで終了することをシグナリングすること、
−  ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、ＲＭＳＩ  ＣＯＲＥＳＥＴの最後のシンボルの直後に開始し、ＳＳ／ＰＢＣＨブロックの最後のシンボルで終了することをシグナリングすること、
−  ＳＳ／ＰＢＣＨブロックとＲＭＳＩ  ＣＯＲＥＳＥＴとがタイプ１パターンを用いて多重化されるとき、ＣＯＲＥＳＥＴが１つの通常スロットの第１のシンボルから開始する場合、非スロットベーススケジューリングについて、ＰＤＳＣＨがＣＯＲＥＳＥＴの直後に開始することをシグナリングすること、およびスロットベーススケジューリングについて、ＰＤＳＣＨがＣＯＲＥＳＥＴの直後に開始してスロットの終了まで続くことをシグナリングすること、またはＣＯＲＥＳＥＴが１つの通常スロットの第１のシンボルから開始しない場合、非スロットベーススケジューリングについて、ＰＤＳＣＨが、ＣＯＲＥＳＥＴの直後の第１の利用可能なシンボルから開始することをシグナリングすること。
【０１７３】
一実施形態では、ダウンリンク共有チャネルは、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ得る。ＰＤＣＣＨは、タイプ０共通探索空間においてネットワークノードによって送信され得る。
【０１７４】
本開示の実施形態は、コンピュータプログラム製品において実装され得る。本開示のこの構成は、典型的には、（光媒体、たとえば、ＣＤ−ＲＯＭ、フロッピーディスクまたはハードディスクなどの）コンピュータ可読媒体上で提供またはコーディングされるソフトウェア、コードおよび／または他のデータ構造、あるいは（１つまたは複数のＲＯＭ、ＲＡＭまたはＰＲＯＭチップなどの）他の媒体上のファームウェアまたはマイクロコード、あるいは１つまたは複数のモジュール中のダウンロード可能なソフトウェアイメージまたは共有データベースとして提供される。
【０１７５】
図２０は、本開示の一実施形態による、コンピュータプログラムコード手段を備えるコンピュータプログラムを記憶したコンピュータ可読記憶媒体のブロック図である。図２０に示されているように、コンピュータ可読媒体２０００は、少なくとも１つのプロセッサによって実行されたとき、上述の本開示による方法を実施するためのコンピュータプログラムコード２０１０を記憶している。コンピュータ可読媒体２０００は、不揮発性または揮発性メモリ、たとえば、電気的消去可能プログラマブル読取り専用メモリ（ＥＥＰＲＯＭ）、フラッシュメモリ、フロッピーディスク、およびハードドライブなどの形態を有し得る。コンピュータプログラムコード２０１０は、任意のフォーマットでのコード／コンピュータ可読命令を含み得る。
【０１７６】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１７７】
略語
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
ＣＯＲＥＳＥＴ  制御リソースセット
ＤＣＩ  ダウンリンク制御情報
ＤＭＲＳ  復調用参照信号
ＦＤＭ  周波数分割多重化
ＭＩＢ  マスタ情報ブロック
ＮＲ  新無線（Ｎｅｗ  Ｒａｄｉｏ）
ＯＦＤＭ  直交周波数分割多重
ＯＳ  ＯＦＤＭシンボル
ＰＢＣＨ  物理ブロードキャストチャネル
ＰＤＣＣＨ  物理ダウンリンク制御チャネル
ＰＤＳＣＨ  物理ダウンリンク共有チャネル
ＲＭＳＩ  残存最小システム情報
ＲＶ  冗長バージョン
ＳＣＳ  サブキャリア間隔
ＳＳＢ  ＳＳ／ＰＢＣＨブロックとしても知られる同期信号ブロック
ＳＳ／ＰＢＣＨ  同期信号および（ＰＢＣＨのＤＭＲＳを含む）ＰＢＣＨ
【図１】
2021514128.tif 000014
【図２】
2021514128.tif 000015
【図３】
2021514128.tif 000016
【図４】
2021514128.tif 000017
【図５】
2021514128.tif 000018
【図６】
2021514128.tif 000019
【図７】
2021514128.tif 000020
【図８】
2021514128.tif 000021
【図９】
2021514128.tif 000022
【図１０】
2021514128.tif 000023
【図１１】
2021514128.tif 000024
【図１２】
2021514128.tif 000025
【図１３】
2021514128.tif 000026
【図１４】
2021514128.tif 000027
【図１５】
2021514128.tif 000028
【図１６】
2021514128.tif 000029
【図１７】
2021514128.tif 000030
【図１８】
2021514128.tif 000031
【図１９】
2021514128.tif 000032
【図２０】
2021514128.tif 000033
【図２１】
2021514128.tif 000034
【図２２】
2021514128.tif 000035
【図２３】
2021514128.tif 000036
【図２４】
2021514128.tif 000037
【図２５】
2021514128.tif 000038
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において実装される方法であって、前記方法が、
少なくとも制御リソースセット（ＣＯＲＥＳＥＴ）設定に従って、ダウンリンク共有チャネルのための時間領域リソースを決定すること（Ｓ１５１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記決定すること（Ｓ１５１０）は、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了すると決定することを含む、方法。
【請求項２】
前記ダウンリンク共有チャネルにおいてデータを受信すること（Ｓ１５２０）をさらに含む、請求項１に記載の方法。
【請求項３】
前記データが、システム情報ブロック（ＳＩＢ）、ページングデータ、またはユーザデータを含む、請求項２に記載の方法。
【請求項４】
前記ＳＩＢが、初期アクセスのために必要とされる情報を含んでいるＳＩＢ１を含む、請求項３に記載の方法。
【請求項５】
前記ＣＯＲＥＳＥＴが物理ブロードキャストチャネル（ＰＢＣＨ）によって設定される、請求項１に記載の方法。
【請求項６】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において監視される、請求項１に記載の方法。
【請求項７】
ユーザ機器（ＵＥ）において実装される方法であって、前記方法が、
少なくとも制御リソースセット（ＣＯＲＥＳＥＴ）設定に従って、ダウンリンク共有チャネルのための時間領域リソースを決定すること（Ｓ１５１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記決定すること（Ｓ１５１０）は、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了すると決定することを含む、方法。
【請求項８】
前記ダウンリンク共有チャネルにおいてデータを受信すること（Ｓ１５２０）をさらに含む、請求項７に記載の方法。
【請求項９】
前記データが、システム情報ブロック（ＳＩＢ）、ページングデータ、またはユーザデータを含む、請求項８に記載の方法。
【請求項１０】
前記ＳＩＢが、初期アクセスのために必要とされる情報を含んでいるＳＩＢ１を含む、請求項９に記載の方法。
【請求項１１】
前記ＣＯＲＥＳＥＴが物理ブロードキャストチャネル（ＰＢＣＨ）によって設定される、請求項７に記載の方法。
【請求項１２】
前記ダウンリンク共有チャネルが、システム情報無線ネットワーク一時識別子（ＳＩ−ＲＮＴＩ）によってスクランブルされた巡回冗長検査（ＣＲＣ）コードとともに物理ダウンリンク制御チャネル（ＰＤＣＣＨ）によってスケジュールされ、前記ＰＤＣＣＨがタイプ０共通探索空間において監視される、請求項７に記載の方法。
【請求項１３】
ユーザ機器（ＵＥ）において実装される方法であって、前記方法が、
少なくとも制御リソースセット（ＣＯＲＥＳＥＴ）設定に従って、ダウンリンク共有チャネルのための時間領域リソースを決定すること（Ｓ１５１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記決定すること（Ｓ１５１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始すると決定すること、およびスロットベーススケジューリングについて、ＰＤＳＣＨが前記ＣＯＲＥＳＥＴの直後に開始して前記スロットの終了まで続くと決定すること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始すると決定すること
を含む、方法。
【請求項１４】
ネットワークノードにおいて実装される方法であって、前記方法が、
少なくとも制御リソースセット（ＣＯＲＥＳＥＴ）設定に従って、ダウンリンク共有チャネルのための時間領域リソースを割り当てること（Ｓ１７１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することを割り当てることを含む、方法。
【請求項１５】
ネットワークノードにおいて実装される方法であって、前記方法が、
少なくとも制御リソースセット（ＣＯＲＥＳＥＴ）設定に従って、ダウンリンク共有チャネルのための時間領域リソースを割り当てること（Ｓ１７１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することを割り当てることを含む、方法。
【請求項１６】
ネットワークノードにおいて実装される方法であって、前記方法が、
少なくとも制御リソースセット（ＣＯＲＥＳＥＴ）設定に従って、ダウンリンク共有チャネルのための時間領域リソースを割り当てること（Ｓ１７１０）
を含み、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記割り当てること（Ｓ１７１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することを割り当てること、およびスロットベーススケジューリングについて、ＰＤＳＣＨが前記ＣＯＲＥＳＥＴの直後に開始して前記スロットの終了まで続くことを割り当てること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することを割り当てること
を含む、方法。
【請求項１７】
ユーザ機器（ＵＥ）において実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを決定させるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記決定することは、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了すると決定することを含む、装置。
【請求項１８】
ユーザ機器（ＵＥ）において実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを決定させるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記決定することは、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了すると決定することを含む、装置。
【請求項１９】
ユーザ機器（ＵＥ）において実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを決定させるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記決定することは、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始すると決定すること、およびスロットベーススケジューリングについて、ＰＤＳＣＨが前記ＣＯＲＥＳＥＴの直後に開始して前記スロットの終了まで続くと決定すること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始すると決定すること
を含む、装置。
【請求項２０】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを割り当てさせるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ２パターンを用いて多重化されるとき、ＰＤＳＣＨが、前記ＳＳ／ＰＢＣＨブロックの前記第１のシンボルから開始し、前記ＳＳ／ＰＢＣＨブロックの前記最後のシンボルで終了することを割り当てることを含む、装置。
【請求項２１】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを割り当てさせるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックが第１のシンボルと最後のシンボルとを有し、前記割り当てること（Ｓ１７１０）は、前記ＳＳ／ＰＢＣＨブロックと残存最小システム情報（ＲＭＳＩ）ＣＯＲＥＳＥＴとがタイプ３パターンを用いて多重化されるとき、ＰＤＳＣＨが、前記ＲＭＳＩ  ＣＯＲＥＳＥＴの最後のシンボルの直後に開始し、前記ＳＳ／ＰＢＣＨブロックの前記最後のシンボルで終了することを割り当てることを含む、装置。
【請求項２２】
ネットワークノードにおいて実装される装置であって、
１つまたは複数のプロセッサと、
コンピュータプログラムコードを備える１つまたは複数のメモリと
を備え、
前記１つまたは複数のメモリおよび前記コンピュータプログラムコードが、前記１つまたは複数のプロセッサにより、前記装置に、少なくとも制御リソースセット（ＣＯＲＥＳＥＴ）設定に従って、ダウンリンク共有チャネルのための時間領域リソースを割り当てさせるように設定され、
前記ダウンリンク共有チャネルが物理ダウンリンク共有チャネル（ＰＤＳＣＨ）を含み、
同期信号および物理ブロードキャストチャネル（ＳＳ／ＰＢＣＨ）ブロックと残存最小システム情報（ＲＭＳＩ）ＣＯＲＥＳＥＴとがタイプ１パターンを用いて多重化されるとき、前記割り当てること（Ｓ１７１０）は、
前記ＣＯＲＥＳＥＴが１つの通常スロットの第１のシンボルから開始するとき、非スロットベーススケジューリングについて、ＰＤＳＣＨが前記ＣＯＲＥＳＥＴの直後に開始することを割り当てること、およびスロットベーススケジューリングについて、ＰＤＳＣＨが前記ＣＯＲＥＳＥＴの直後に開始して前記スロットの終了まで続くことを割り当てること、または
前記ＣＯＲＥＳＥＴが１つの通常スロットの第１のシンボルから開始しないとき、非スロットベーススケジューリングについて、ＰＤＳＣＨが、前記ＣＯＲＥＳＥＴの直後の第１の利用可能なシンボルから開始することを割り当てること
を含む、装置。
【国際調査報告】
2021514128.tif 000039
2021514128.tif 000040
2021514128.tif 000041